(57)【要約】  本発明の例示的な実施形態によれば、ネットワークノードによって、周波数同調、帯域幅部分切替え、または帯域幅切替えのうちの少なくとも１つを、少なくとも１つのユーザ機器によって実行すべきであると決定するステップと、ネットワークノードによって、決定に基づいて少なくとも１つのユーザ機器に１つまたは複数のダウンリンクスロットを送信するステップであって、１つまたは複数のダウンリンクスロットが、少なくとも１つのユーザ機器によって周波数同調、帯域幅部分切替え、または帯域幅切替えのうちの少なくとも１つを実行すべき時間に関する指示を提供する、ステップとを実行するための、少なくとも方法および装置がある。さらに、本発明の別の例示的な実施形態によれば、ユーザ機器によって、ネットワークノードから１つまたは複数のダウンリンクスロットを受信するステップであって、１つまたは複数のダウンリンクスロットが、アップリンク許可、ダウンリンク割当てのうちの少なくとも一方を含み、１つまたは複数のダウンリンクスロットが、少なくとも１つのユーザ機器によって周波数同調、帯域幅部分切替え、および帯域幅切替えのうちの少なくとも１つを実行すべき時間に関する指示を提供する、ステップと、ユーザ機器によって、１つまたは複数のダウンリンクスロットに基づいて、周波数同調、帯域幅部分切替え、または帯域幅切替えのうちの少なくとも１つを実行するステップと、ユーザ機器によって、周波数同調、帯域幅部分切替え、または帯域幅切替えのうちの少なくとも１つに基づいて無線周波数チェーンを介して少なくとも１つのアップリンクチャネルまたは信号を伝送するステップとを実行するための、少なくとも方法および装置がある。【選択図】図３
2021520737.tif 000002
【特許請求の範囲】
【請求項１】
ネットワークノードによって、周波数同調、帯域幅部分切替え、または帯域幅切替えのうちの少なくとも１つを実行すべきであると決定するステップと、
前記ネットワークノードによって、前記決定に基づいて少なくとも１つのユーザ機器に１つまたは複数のダウンリンクスロットを送信するステップであって、前記１つまたは複数のダウンリンクスロットが、周波数同調、帯域幅部分切替え、または帯域幅切替えのうちの前記少なくとも１つを実行すべき時間に関する指示を提供する、ステップと
を含む方法。
【請求項２】
前記１つまたは複数のダウンリンクスロットが、伝送バーストの一部であり、前記伝送バーストが、１つまたは複数の空のシンボルまたはスロットと、１つまたは複数のアップリンクスロットを有するアップリンク部分とをさらに含む、請求項１に記載の方法。
【請求項３】
前記１つまたは複数のダウンリンクスロットが、周波数同調、帯域幅部分切替え、または帯域幅切替えのうちの前記少なくとも１つについての持続時間指示を含み、前記持続時間指示が、前記少なくとも１つのユーザ機器による周波数同調、帯域幅部分切替え、または帯域幅切替えのうちの前記少なくとも１つについての開始時間と終了時間との間のギャップを含み、周波数同調、帯域幅部分切替え、または帯域幅切替えのうちの前記少なくとも１つに対する帯域幅パラメータが使用されるとき、前記１つまたは複数のダウンリンクスロットが、チャネル占有時間のアップリンク部分の開始時間をさらに含む、請求項１または２に記載の方法。
【請求項４】
前記開始時間と前記終了時間との間の前記ギャップを含む前記持続時間指示が、前記１つまたは複数のダウンリンクスロットの、マイクロ秒、ＯＦＤＭシンボル、ミニスロット、またはスロットのうちの少なくとも１つを単位とする時間の長さに基づく、請求項３に記載の方法。
【請求項５】
周波数同調、帯域幅部分切替え、または帯域幅切替えのうちの前記少なくとも１つを実行するように指示される前記時間が、前記少なくとも１つのユーザ機器でのスケジュールされた物理ダウンリンク共有チャネルの受信の前または後である、請求項１〜３のいずれか１項に記載の方法。
【請求項６】
前記ダウンリンク制御情報が、周波数同調、帯域幅部分切替え、または帯域幅切替えのうちの前記少なくとも１つを実行すべき前記時間を指示するための少なくとも１つのビットフィールドを含む、請求項１〜３のいずれか１項に記載の方法。
【請求項７】
周波数同調、帯域幅部分切替え、または帯域幅切替えのうちの少なくとも１つを実行すべきであると決定するための手段と、
前記決定に基づいて少なくとも１つのユーザ機器に１つまたは複数のダウンリンクスロットを送信するための手段とを備え、前記１つまたは複数のダウンリンクスロットが、周波数同調、帯域幅部分切替え、または帯域幅切替えのうちの前記少なくとも１つを実行すべき時間に関する指示を提供する、装置。
【請求項８】
少なくとも１つのプロセッサと、
コンピュータプログラムコードを含む少なくとも１つのメモリとを備える装置であって、前記少なくとも１つのメモリおよび前記コンピュータプログラムコードが、前記少なくとも１つのプロセッサによって、前記装置に、少なくとも、
周波数同調、帯域幅部分切替え、または帯域幅切替えのうちの少なくとも１つを実行すべきであると決定することと、
前記決定に基づいて少なくとも１つのユーザ機器に１つまたは複数のダウンリンクスロットを送信することと、を行わせるように構成され、前記１つまたは複数のダウンリンクスロットが、前記少なくとも１つのユーザ機器によって周波数同調、帯域幅部分切替え、または帯域幅切替えのうちの前記少なくとも１つを実行すべき時間に関する指示を提供する、装置。
【請求項９】
前記１つまたは複数のダウンリンクスロットが、伝送バーストの一部であり、前記伝送バーストが、１つまたは複数の空のシンボルまたはスロットと、１つまたは複数のアップリンクスロットを有するアップリンク部分とをさらに含む、請求項８に記載の装置。
【請求項１０】
前記１つまたは複数のダウンリンクスロットが、周波数同調、帯域幅部分切替え、または帯域幅切替えのうちの前記少なくとも１つについての持続時間指示を含み、前記持続時間指示が、前記少なくとも１つのユーザ機器による周波数同調、帯域幅部分切替え、または帯域幅切替えのうちの前記少なくとも１つについての開始時間と終了時間との間のギャップを含み、周波数同調、帯域幅部分切替え、または帯域幅切替えのうちの前記少なくとも１つに対する帯域幅パラメータが使用されるとき、前記１つまたは複数のダウンリンクスロットが、チャネル占有時間のアップリンク部分の開始時間をさらに含む、請求項８または９に記載の装置。
【請求項１１】
前記開始時間と前記終了時間との間の前記ギャップを含む前記持続時間指示が、前記１つまたは複数のダウンリンクスロットの、マイクロ秒、ＯＦＤＭシンボル、ミニスロット、またはスロットのうちの少なくとも１つを単位とする時間の長さに基づく、請求項１０に記載の装置。
【請求項１２】
周波数同調、帯域幅部分切替え、または帯域幅切替えのうちの前記少なくとも１つを実行するように指示される前記時間が、前記少なくとも１つのユーザ機器でのスケジュールされた物理ダウンリンク共有チャネルの受信の前または後である、請求項８〜１０のいずれか１項に記載の装置。
【請求項１３】
前記ダウンリンク制御情報が、周波数同調、帯域幅部分切替え、または帯域幅切替えのうちの前記少なくとも１つを実行すべき前記時間を指示するための少なくとも１つのビットフィールドを含む、請求項８〜１０のいずれか１項に記載の装置。
【請求項１４】
ユーザ機器によって、ネットワークノードから１つまたは複数のダウンリンクスロットを受信するステップであって、前記１つまたは複数のダウンリンクスロットが、アップリンク許可またはダウンリンク割当てのうちの少なくとも一方を含み、前記１つまたは複数のダウンリンクスロットが、前記ユーザ機器によって周波数同調、帯域幅部分切替え、または帯域幅切替えのうちの少なくとも１つを実行すべき時間に関する指示を提供する、ステップと、
前記ユーザ機器によって、前記１つまたは複数のダウンリンクスロットに基づいて、周波数同調、帯域幅部分切替え、または帯域幅切替えのうちの前記少なくとも１つを実行するステップと、
前記ユーザ機器によって、周波数同調、帯域幅部分切替え、または帯域幅切替えのうちの前記少なくとも１つに基づいて無線周波数チェーンを介して少なくとも１つのアップリンクチャネルまたは信号を伝送するステップと
を含む方法。
【請求項１５】
前記１つまたは複数のダウンリンクスロットが、伝送バーストの一部であり、前記伝送バーストが、１つまたは複数の空のシンボルまたはスロットと、１つまたは複数のアップリンクスロットを有するアップリンク部分とをさらに含む、請求項１４に記載の方法。
【請求項１６】
前記ユーザ機器が、周波数同調、帯域幅部分切替え、または帯域幅切替えのうちの前記少なくとも１つに基づいて前記無線周波数チェーンを介して前記少なくとも１つのアップリンクチャネルまたは信号を伝送するステップに先立って、タイプ２のチャネルアクセス手順を実行する、請求項１４または１５に記載の方法。
【請求項１７】
前記ユーザ機器が、第１の周波数から第２の周波数への切替え、第１の帯域幅部分から第２の帯域幅部分への切替え、または第１の帯域幅から第２の帯域幅への切替えのうちの少なくとも１つの後、前記１つまたは複数のダウンリンクスロットの最後のダウンリンクスロットまで、前記ネットワークノードからダウンリンクチャネルまたは信号を受信し続ける、請求項１４または１５に記載の方法。
【請求項１８】
前記第１の帯域幅部分から前記第２の帯域幅部分への前記切替えが、前記１つまたは複数のダウンリンクスロットの前記最後のダウンリンクスロットまで、前記第１の帯域幅部分に関連するパラメータを使用することを含む、請求項１７に記載の方法。
【請求項１９】
前記パラメータが、アップリンク許可またはダウンリンク割当てのうちの少なくとも一方を含む、請求項１８に記載の方法。
【請求項２０】
前記１つまたは複数のダウンリンクスロットが、周波数同調、帯域幅部分切替え、または帯域幅切替えのうちの前記少なくとも１つについての持続時間指示を含み、前記持続時間指示が、前記少なくとも１つのユーザ機器による周波数同調、帯域幅部分切替え、または帯域幅切替えのうちの前記少なくとも１つについての開始時間と終了時間との間のギャップを含み、周波数同調、帯域幅部分切替え、または帯域幅切替えのうちの前記少なくとも１つに対する帯域幅パラメータが使用されるとき、前記１つまたは複数のダウンリンクスロットが、チャネル占有時間のアップリンク部分の開始時間をさらに含む、請求項１４に記載の方法。
【請求項２１】
前記開始時間と前記終了時間との間の前記ギャップを含む前記持続時間指示が、マイクロ秒、ＯＦＤＭシンボル、ミニスロット、スロットのうちの少なくとも１つを単位とする時間の長さに基づく、請求項２０に記載の方法。
【請求項２２】
周波数同調、帯域幅部分切替え、または帯域幅切替えのうちの前記少なくとも１つが、
アップリンク許可を受信し、前記受信したアップリンク許可がスケジュールする物理アップリンク共有チャネルの伝送前に、所定の数もしくは指示された数のスロットもしくはシンボル内で周波数同調、帯域幅部分切替え、もしくは帯域幅切替えのうちの前記少なくとも１つを実行すべきであると決定すること、または
物理ダウンリンク共有チャネルデータ伝送を受信し、前記物理ダウンリンク共有チャネルに対するハイブリッド自動再送要求の確認応答を搬送する物理アップリンク制御チャネル伝送の伝送前に、所定の数もしくは指示された数のシンボルもしくはスロット内で、周波数同調、帯域幅部分切替え、もしくは帯域幅切替えのうちの前記少なくとも１つを実行すべきであると決定すること
のうちの少なくとも１つに基づく、請求項１４に記載の方法。
【請求項２３】
前記１つまたは複数のダウンリンクスロットが、周波数同調、帯域幅部分切替え、または帯域幅切替えのうちの前記少なくとも１つをトリガする前記ダウンリンク割当てに関連する物理ダウンリンク共有チャネルの受信の前または後のうちの少なくとも一方において、少なくとも１つのユーザ機器が、周波数同調、帯域幅部分切替え、または帯域幅切替えのうちの前記少なくとも１つを実行すべきであるという指示を含む、請求項１４または１５に記載の方法。
【請求項２４】
前記１つまたは複数のダウンリンクスロットが、少なくとも１つの参照信号を含み、前記少なくとも１つの参照信号が、前記少なくとも１つの参照信号の周波数における帯域幅または位置のうちの少なくとも一方に基づいて、周波数同調、帯域幅部分切替え、または帯域幅切替えのうちの前記少なくとも１つを実行することをトリガするために、前記ユーザ機器によって使用される、請求項１４に記載の方法。
【請求項２５】
前記１つまたは複数のダウンリンクスロットのダウンリンク部分の最後のスロットが、少なくとも１つの追加の参照信号を含む、請求項１４に記載の方法。
【請求項２６】
前記少なくとも１つの参照信号が、非周期的チャネル状態情報参照信号、追加の一次同期信号、または追加の二次同期信号のうちの少なくとも１つを含み、前記少なくとも１つの追加の参照信号が、非周期的チャネル状態情報参照信号、追加の一次同期信号、または追加の二次同期信号のうちの少なくとも１つを含む、請求項１４または１５に記載の方法。
【請求項２７】
周波数同調、帯域幅部分切替え、または帯域幅切替えのうちの前記少なくとも１つを実行するように指示される前記時間が、前記ユーザ機器でのスケジュールされた物理ダウンリンク共有チャネルの受信の前または後である、請求項１４または１５に記載の方法。
【請求項２８】
ネットワークノードから１つまたは複数のダウンリンクスロットを受信するための手段であって、前記１つまたは複数のダウンリンクスロットが、アップリンク許可またはダウンリンク割当てのうちの少なくとも一方を含み、前記１つまたは複数のダウンリンクスロットが、少なくとも１つのユーザ機器によって周波数同調、帯域幅部分切替え、または帯域幅切替えのうちの少なくとも１つを実行すべき時間に関する指示を提供する、手段と、
前記１つまたは複数のダウンリンクスロットに基づいて、周波数同調、帯域幅部分切替え、または帯域幅切替えのうちの前記少なくとも１つを実行するための手段と、
周波数同調、帯域幅部分切替え、または帯域幅切替えのうちの前記少なくとも１つに基づいて無線周波数チェーンを介して少なくとも１つのアップリンクチャネルまたは信号を伝送するための手段と
を備える装置。
【請求項２９】
少なくとも１つのプロセッサと、
コンピュータプログラムコードを含む少なくとも１つのメモリとを備える装置であって、前記少なくとも１つのメモリおよび前記コンピュータプログラムコードが、前記少なくとも１つのプロセッサによって、前記装置に、少なくとも、
ネットワークノードから１つまたは複数のダウンリンクスロットを受信することであって、前記１つまたは複数のダウンリンクスロットが、アップリンク許可またはダウンリンク割当てのうちの少なくとも一方を含み、前記１つまたは複数のダウンリンクスロットが、周波数同調、帯域幅部分切替え、または帯域幅切替えのうちの少なくとも１つを実行すべき時間に関する指示を提供する、受信することと、
前記１つまたは複数のダウンリンクスロットに基づいて、周波数同調、帯域幅部分切替え、または帯域幅切替えのうちの前記少なくとも１つを実行することと、
周波数同調、帯域幅部分切替え、または帯域幅切替えのうちの前記少なくとも１つに基づいて無線周波数チェーンを介して少なくとも１つのアップリンクチャネルまたは信号を伝送することと、を行わせるように構成される、装置。
【請求項３０】
前記１つまたは複数のダウンリンクスロットが、伝送バーストの一部であり、前記伝送バーストが、１つまたは複数の空のシンボルもしくはスロット、または、１つもしくは複数のアップリンクスロットを有するアップリンク部分をさらに含む、請求項２９に記載の装置。
【請求項３１】
前記ユーザ機器が、周波数同調、帯域幅部分切替え、または帯域幅切替えのうちの前記少なくとも１つに基づいて前記無線周波数チェーンを介して前記少なくとも１つのアップリンクチャネルまたは信号を伝送するステップに先立って、タイプ２のチャネルアクセス手順を実行する、請求項２９または３０に記載の装置。
【請求項３２】
前記少なくとも１つのメモリおよび前記コンピュータプログラムコードが、前記少なくとも１つのプロセッサによって、前記装置に、第１の周波数から第２の周波数への切替え、第１の帯域幅部分から第２の帯域幅部分への切替え、または第１の帯域幅から第２の帯域幅への切替えのうちの少なくとも１つの後、前記１つまたは複数のダウンリンクスロットの最後のダウンリンクスロットまで、前記ネットワークノードからダウンリンクチャネルまたは信号を受信することを行わせるように構成される、請求項２９または３０に記載の装置。
【請求項３３】
前記第１の帯域幅部分から前記第２の帯域幅部分への前記切替えが、前記１つまたは複数のダウンリンクスロットの前記最後のダウンリンクスロットまで、前記第１の帯域幅部分に関連するパラメータを使用することを含む、請求項３２に記載の装置。
【請求項３４】
前記パラメータが、アップリンク許可またはダウンリンク割当てのうちの少なくとも一方を含む、請求項３３に記載の装置。
【請求項３５】
前記１つまたは複数のダウンリンクスロットが、周波数同調、帯域幅部分切替え、または帯域幅切替えのうちの前記少なくとも１つについての持続時間指示を含み、前記持続時間指示が、前記少なくとも１つのユーザ機器による周波数同調、帯域幅部分切替え、または帯域幅切替えのうちの前記少なくとも１つについての開始時間と終了時間との間のギャップを含み、周波数同調、帯域幅部分切替え、または帯域幅切替えのうちの前記少なくとも１つに対する帯域幅パラメータが使用されるとき、前記１つまたは複数のダウンリンクスロットが、チャネル占有時間のアップリンク部分の開始時間をさらに含む、請求項２９または３０に記載の装置。
【請求項３６】
前記開始時間と前記終了時間との間の前記ギャップを含む前記持続時間指示が、マイクロ秒、ＯＦＤＭシンボル、ミニスロットのうちの少なくとも１つを単位とする時間の長さに基づく、請求項３５に記載の装置。
【請求項３７】
周波数同調、帯域幅部分切替え、または帯域幅切替えのうちの前記少なくとも１つが、
アップリンク許可を受信し、前記受信したアップリンク許可がスケジュールする物理アップリンク共有チャネルの伝送前に、所定の数もしくは指示された数のスロットもしくはシンボル内で周波数同調、帯域幅部分切替え、もしくは帯域幅切替えのうちの少なくとも１つを実行すべきであると決定すること、または
物理ダウンリンク共有チャネルデータ伝送を受信し、前記物理ダウンリンク共有チャネルに対するハイブリッド自動再送要求の確認応答を搬送する物理アップリンク制御チャネル伝送の伝送前に、所定の数もしくは指示された数のシンボルもしくはスロット内で、周波数同調、帯域幅部分切替え、もしくは帯域幅切替えのうちの前記少なくとも１つを実行すべきであると決定すること
のうちの少なくとも１つに基づく、請求項３５または３６に記載の装置。
【請求項３８】
前記１つまたは複数のダウンリンクスロットが、周波数同調、帯域幅部分切替え、または帯域幅切替えのうちの少なくとも１つをトリガする前記ダウンリンク割当てに関連する物理ダウンリンク共有チャネルの受信の前または後のうちの少なくとも一方において、少なくとも１つのユーザ機器が、周波数同調、帯域幅部分切替え、または帯域幅切替えのうちの前記少なくとも１つを実行すべきであるという指示を含む、請求項２９または３０に記載の装置。
【請求項３９】
前記１つまたは複数のダウンリンクスロットが、少なくとも１つの参照信号を含み、前記少なくとも１つの参照信号が、前記少なくとも１つの参照信号の周波数における帯域幅または位置のうちの少なくとも一方に基づいて、周波数同調、帯域幅部分切替え、または帯域幅切替えのうちの前記少なくとも１つを実行することをトリガするために、少なくとも１つのユーザ機器によって使用される、請求項２９または３０に記載の装置。
【請求項４０】
前記１つまたは複数のダウンリンクスロットのダウンリンク部分の最後のスロットが、少なくとも１つの追加の参照信号を含む、請求項２９に記載の装置。
【請求項４１】
前記少なくとも１つの参照信号が、非周期的チャネル状態情報参照信号、追加の一次同期信号、または追加の二次同期信号のうちの少なくとも１つを含み、前記少なくとも１つの追加の参照信号が、周期的チャネル状態情報参照信号、追加の一次同期信号、または追加の二次同期信号のうちの少なくとも１つを含む、請求項２９または３０に記載の装置。
【請求項４２】
周波数同調、帯域幅部分切替え、または帯域幅切替えのうちの前記少なくとも１つを実行するように指示される前記時間が、スケジュールされた物理ダウンリンク共有チャネルの受信の前または後である、請求項２９または３０に記載の装置。
【請求項４３】
プログラムコードを含むコンピュータプログラムを具現化する非一時的なメモリであって、前記プログラムコードが、請求項１〜６または１４〜２７のいずれかに記載の前記方法を実行するために少なくとも１つのプロセッサによって実行される、非一時的なメモリ。
【発明の詳細な説明】
【技術分野】
【０００１】
本発明の例示的な実施形態による教示は、一般に、アップリンク（ｕｐｌｉｎｋ）伝送のためのユーザ機器帯域幅部分切替えに関し、より詳細には、新無線（Ｎｅｗ  Ｒａｄｉｏ）のライセンス（認可）されない（ｕｎｌｉｃｅｎｓｅｄ）帯域のシナリオにおけるアップリンク伝送のためのユーザ機器帯域幅部分切替えに関し得る。
【背景技術】
【０００２】
本節は、特許請求の範囲に記載され得るような本発明の例示的な実施形態の背景またはコンテキストを提供することを意図している。本明細書の説明は、追及され得る概念を含むことがあるが、必ずしも以前に考案または追求されたものであるとは限らない。したがって、本明細書に別段の記載がない限り、本節に記載されている内容は、本出願の明細書および特許請求の範囲の先行技術ではなく、また本節に含まれていることにより先行技術であるとは認められない。
【０００３】
明細書および／または図に見出され得る特定の略語を、本明細書と共に次のように定義する。
ＡＣＫ（ａｃｋｎｏｗｌｅｄｇｅｍｅｎｔ）  確認応答
ＡＲＱ（ａｕｔｏｍａｔｉｃ  ｒｅｐｅａｔ  ｒｅｑｕｅｓｔ）  自動再送要求
ＢＷ（ｂａｎｄｗｉｄｔｈ）  帯域幅
ＢＷＰ（ｂａｎｄｗｉｄｔｈ  ｐａｒｔ）  帯域幅部分
ＣＡ（ｃａｒｒｉｅｒ  ａｇｇｒｅｇａｔｉｏｎ）  キャリアアグリゲーション
ＣＣ（ｃｏｍｐｏｎｅｎｔ  ｃａｒｒｉｅｒ）  コンポーネントキャリア
ＣＣＡ（ｃｌｅａｒ  ｃｈａｎｎｅｌ  ａｓｓｅｓｓｍｅｎｔ）  クリアチャネル評価
ＣＯＲＥＳＥＴ（ｃｏｎｔｒｏｌ  ｒｅｓｏｕｒｃｅ  ｓｅｔ）  制御リソースセット
ＣＯＴ（ｃｈａｎｎｅｌ  ｏｃｃｕｐａｎｃｙ  ｔｉｍｅ）  チャネル占有時間
ＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）  チャネル状態情報参照信号
ＤＣＩ（ｄｏｗｎｌｉｎｋ  ｃｏｎｔｒｏｌ  ｉｎｆｏｒｍａｔｉｏｎ）  ダウンリンク（ｄｏｗｎｌｉｎｋ）制御情報
ＤＬ（ｄｏｗｎｌｉｎｋ）  ダウンリンク
ＤＭＲＳ（ｄｅｍｏｄｕｌａｔｉｏｎ  ｒｅｆｅｒｅｎｃｅ  ｓｉｇｎａｌ）  復調参照信号
ｅＮＢ（ｅｎｈａｎｃｅｄ  Ｎｏｄｅ  Ｂ）  拡張ノードＢ（ＬＴＥ基地局）
ＦＤＭＡ（ｆｒｅｑｕｅｎｃｙ  ｄｉｖｉｓｉｏｎ  ｍｕｌｔｉｐｌｅ  ａｃｃｅｓｓ）  周波数分割多元接続
ＦＦＴ（ｆａｓｔ  Ｆｏｕｒｉｅｒ  Ｔｒａｎｓｆｏｒｍａｔｉｏｎ）  高速フーリエ変換
ＧＣ−ＰＤＣＣＨ（ｇｒｏｕｐ−ｃｏｍｍｏｎ  ｐｈｙｓｉｃａｌ  ｄｏｗｎｌｉｎｋ  ｃｏｎｔｒｏｌ  ｃｈａｎｎｅｌ）  グループ共通物理ダウンリンク制御チャネル
ｇＮＢ（ＮＲ  ｂａｓｅ  ｓｔａｔｉｏｎ）  ＮＲ基地局
ＨＡＲＱ（ｈｙｂｒｉｄ  ａｕｔｏｍａｔｉｃ  ｒｅｐｅａｔ  ｒｅｑｕｅｓｔ）  ハイブリッド自動再送要求
ＬＡＡ（ｌｉｃｅｎｓｅｄ  ａｓｓｉｓｔｅｄ  ａｃｃｅｓｓ）  ライセンス（認可）される補助（アシスト）されるアクセス
ＬＢＴ（ｌｉｓｔｅｎ  ｂｅｆｏｒｅ  ｔａｌｋ）  リッスンビフォアトーク
ＬＴＥ（ｌｏｎｇ  ｔｅｒｍ  ｅｖｏｌｕｔｉｏｎ）  ロングタームエボリューション
ＭＣＳ（ｍｏｄｕｌａｔｉｏｎ  ａｎｄ  ｃｏｄｉｎｇ  ｓｃｈｅｍｅ）  変調および符号化方式
ＮＲ（Ｎｅｗ  Ｒａｄｉｏ）  新無線
ＮＲ−Ｕ（Ｎｅｗ  Ｒａｄｉｏ  Ｕｎｌｉｃｅｎｓｅｄ）  ライセンスされない新無線
ＯＦＤＭ（ｏｒｔｈｏｇｏｎａｌ  ｆｒｅｑｕｅｎｃｙ  ｄｏｍａｉｎ  ｍｕｌｔｉｐｌｅｘｉｎｇ）  直交周波数分割多重
ＰＤＣＣＨ（ｐｈｙｓｉｃａｌ  ｄｏｗｎｌｉｎｋ  ｃｏｎｔｒｏｌ  ｃｈａｎｎｅｌ）  物理ダウンリンク制御チャネル
ＰＤＳＣＨ（ｐｈｙｓｉｃａｌ  ｄｏｗｎｌｉｎｋ  ｓｈａｒｅｄ  ｃｈａｎｎｅｌ）  物理ダウンリンク共有チャネル
ＰＳＳ（ｐｒｉｍａｒｙ  ｓｙｎｃｈｒｏｎｉｚａｔｉｏｎ  ｓｉｇｎａｌ）  一次同期信号
ＰＵＣＣＨ（ｐｈｙｓｉｃａｌ  ｕｐｌｉｎｋ  ｃｏｎｔｒｏｌ  ｃｈａｎｎｅｌ）  物理アップリンク制御チャネル
ＰＵＳＣＨ（ｐｈｙｓｉｃａｌ  ｕｐｌｉｎｋ  ｓｈａｒｅｄ  ｃｈａｎｎｅｌ）  物理アップリンク共有チャネル
ＲＦ（Ｒａｄｉｏ  Ｆｒｅｑｕｅｎｃｙ）  無線周波数
ＲＲＣ（ｒａｄｉｏ  ｒｅｓｏｕｒｃｅ  ｃｏｎｔｒｏｌ）  無線リソース制御
ＳＣＳ（ｓｕｂｃａｒｒｉｅｒ  ｓｐａｃｉｎｇ）  サブキャリア間隔
ＳＳＳ（ｓｅｃｏｎｄａｒｙ  ｓｙｎｃｈｒｏｎｉｚａｔｉｏｎ  ｓｉｇｎａｌ）  二次同期信号
ＴＤＤ（ｔｉｍｅ  ｄｉｖｉｓｉｏｎ  ｄｕｐｌｅｘｉｎｇ）  時分割複信
ＵＥ（ｕｓｅｒ  ｅｑｕｉｐｍｅｎｔ）  ユーザ機器
ＵＬ（ｕｐｌｉｎｋ）  アップリンク
【０００４】
いくつかのライセンスされない広帯域があり、場合によっては単一の基地局、ｇＮＢ、またはＵＥでも、非常に広い帯域幅にアクセスすることができる。したがって、広帯域動作は、新無線（ＮＲ）通信にとって重要な構築ブロックの１つである。
【０００５】
本発明の例示的な実施形態は、少なくとも、ライセンスされない帯域などでのＮＲの広帯域動作を改善するように機能する。
【発明の概要】
【課題を解決するための手段】
【０００６】
本発明の例示的な態様において、ネットワークノードによって、周波数同調（ｆｒｅｑｕｅｎｃｙ  ｔｕｎｉｎｇ：周波数チューニング）、帯域幅部分切替え、または帯域幅切替えのうちの少なくとも１つを実行すべきであると決定するステップと、ネットワークノードによって、決定に基づいて少なくとも１つのユーザ機器に１つまたは複数のダウンリンクスロットを送信するステップであって、１つまたは複数のダウンリンクスロットが、周波数同調、帯域幅部分切替え、または帯域幅切替えのうちの少なくとも１つを実行すべき時間に関する指示を提供する、ステップとを含む方法がある。
【０００７】
さらなる例示的な実施形態は、前の段落の方法を含む方法であり、１つまたは複数のダウンリンクスロットは、伝送バーストの一部であり、伝送バーストは、１つまたは複数の空のシンボルもしくはスロットと、１つまたは複数のアップリンクスロットを有するアップリンク部分とをさらに含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、開始時間と終了時間との間のギャップを含む持続時間指示は、１つまたは複数のダウンリンクスロットの、マイクロ秒、ＯＦＤＭシンボル、ミニスロット、もしくはスロットのうちの少なくとも１つを単位とする時間の長さに基づき、かつ／または、周波数同調、帯域幅部分切替え、もしくは帯域幅切替えのうちの少なくとも１つを実行するように指示される時間は、少なくとも１つのユーザ機器でのスケジュールされた物理ダウンリンク共有チャネルの受信の前もしくは後であり、かつ／または、ダウンリンク制御情報は、周波数同調、帯域幅部分切替え、もしくは帯域幅切替えのうちの少なくとも１つを実行すべき時間を指示するための少なくとも１つのビットフィールドを含む。
【０００８】
本発明の別の例示的な態様において、ネットワークノードによって、周波数同調、帯域幅部分切替え、または帯域幅切替えのうちの少なくとも１つを実行すべきであると決定するための手段と、ネットワークノードによって、決定に基づいて少なくとも１つのユーザ機器に１つまたは複数のダウンリンクスロットを送信するための手段であって、１つまたは複数のダウンリンクスロットが、周波数同調、帯域幅部分切替え、または帯域幅切替えのうちの少なくとも１つを実行すべき時間に関する指示を提供する、手段とを備える装置がある。
【０００９】
さらなる例示的な実施形態は、前の段落のような装置であり、１つまたは複数のダウンリンクスロットは、伝送バーストの一部であり、伝送バーストは、１つまたは複数の空のシンボルもしくはスロットと、１つまたは複数のアップリンクスロットを有するアップリンク部分とをさらに含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、開始時間と終了時間との間のギャップを含む持続時間指示は、１つまたは複数のダウンリンクスロットの、マイクロ秒、ＯＦＤＭシンボル、ミニスロット、もしくはスロットのうちの少なくとも１つを単位とする時間の長さに基づき、かつ／または、周波数同調、帯域幅部分切替え、もしくは帯域幅切替えのうちの少なくとも１つを実行するように指示される時間は、少なくとも１つのユーザ機器でのスケジュールされた物理ダウンリンク共有チャネルの受信の前もしくは後であり、かつ／または、ダウンリンク制御情報は、周波数同調、帯域幅部分切替え、もしくは帯域幅切替えのうちの少なくとも１つを実行すべき時間を指示するための少なくとも１つのビットフィールドを含む。
【００１０】
上記の段落による例示的な実施形態によれば、少なくとも決定および送信するための手段は、少なくとも１つのプロセッサ［図５のようなＤＰ２２Ａおよび／またはリソースモジュール２２Ｇ］によって実行可能なコンピュータプログラム［図５のようなＰＲＯＧ２２Ｃ］でエンコードされた非一時的なコンピュータ可読媒体［図５のようなＭＥＭ２２Ｂ］を備える。
【００１１】
本発明の例示的な態様において、少なくとも１つのプロセッサと、コンピュータプログラムコードを含む少なくとも１つのメモリとを備える、ネットワークノードまたはネットワーク側装置などの装置があり、少なくとも１つのメモリおよびコンピュータプログラムコードは、少なくとも１つのプロセッサによって、装置に、少なくとも、ネットワークノードによって、周波数同調、帯域幅部分切替え、または帯域幅切替えのうちの少なくとも１つを実行すべきであると決定することと、ネットワークノードによって、決定に基づいて少なくとも１つのユーザ機器に１つまたは複数のダウンリンクスロットを送信することとを行わせるように構成され、１つまたは複数のダウンリンクスロットは、周波数同調、帯域幅部分切替え、または帯域幅切替えのうちの少なくとも１つを実行すべき時間に関する指示を提供する。
【００１２】
さらなる例示的な実施形態は、前の段落のような装置であり、１つまたは複数のダウンリンクスロットは、伝送バーストの一部であり、伝送バーストは、１つまたは複数の空のシンボルもしくはスロットと、１つまたは複数のアップリンクスロットを有するアップリンク部分とをさらに含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、開始時間と終了時間との間のギャップを含む持続時間指示は、１つまたは複数のダウンリンクスロットの、マイクロ秒、ＯＦＤＭシンボル、ミニスロット、もしくはスロットのうちの少なくとも１つを単位とする時間の長さに基づき、かつ／または、周波数同調、帯域幅部分切替え、もしくは帯域幅切替えのうちの少なくとも１つを実行するように指示される時間は、少なくとも１つのユーザ機器でのスケジュールされた物理ダウンリンク共有チャネルの受信の前もしくは後であり、かつ／または、ダウンリンク制御情報は、周波数同調、帯域幅部分切替え、もしくは帯域幅切替えのうちの少なくとも１つを実行すべき時間を指示するための少なくとも１つのビットフィールドを含む。
【００１３】
本発明の別の例示的な態様において、ユーザ機器によって、ネットワークノードから１つまたは複数のダウンリンクスロットを受信するステップであって、１つまたは複数のダウンリンクスロットが、アップリンク許可、ダウンリンク割当てのうちの少なくとも一方を含み、１つまたは複数のダウンリンクスロットが、少なくとも１つのユーザ機器によって周波数同調、帯域幅部分切替え、および帯域幅切替えのうちの少なくとも１つを実行すべき時間に関する指示を提供する、ステップと、ユーザ機器によって、１つまたは複数のダウンリンクスロットに基づいて、周波数同調、帯域幅部分切替え、または帯域幅切替えのうちの少なくとも１つを実行するステップと、ユーザ機器によって、周波数同調、帯域幅部分切替え、または帯域幅切替えのうちの少なくとも１つに基づいて無線周波数チェーンを介して少なくとも１つのアップリンクチャネルまたは信号を伝送するステップとを含む方法がある。
【００１４】
さらなる例示的な実施形態は、前の段落の方法を含む方法であり、１つまたは複数のダウンリンクスロットは、伝送バーストの一部であり、伝送バーストは、１つまたは複数の空のシンボルもしくはスロットと、１つまたは複数のアップリンクスロットを有するアップリンク部分とをさらに含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、開始時間と終了時間との間のギャップを含む持続時間指示は、１つまたは複数のダウンリンクスロットの、マイクロ秒、ＯＦＤＭシンボル、ミニスロット、もしくはスロットのうちの少なくとも１つを単位とする時間の長さに基づき、かつ／または、周波数同調、帯域幅部分切替え、もしくは帯域幅切替えのうちの少なくとも１つを実行するように指示される時間は、少なくとも１つのユーザ機器でのスケジュールされた物理ダウンリンク共有チャネルの受信の前もしくは後であり、かつ／または、ダウンリンク制御情報は、周波数同調、帯域幅部分切替え、もしくは帯域幅切替えのうちの少なくとも１つを実行すべき時間を指示するための少なくとも１つのビットフィールドを含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、少なくとも１つの参照信号は、非周期的チャネル状態情報参照信号、追加の一次同期信号、もしくは追加の二次同期信号のうちの少なくとも１つを含み、少なくとも１つの追加の参照信号は、非周期的チャネル状態情報参照信号、追加の一次同期信号、もしくは追加の二次同期信号のうちの少なくとも１つを含み、かつ／または、周波数同調、帯域幅部分切替え、もしくは帯域幅切替えのうちの少なくとも１つを実行するように指示される時間は、ユーザ機器でのスケジュールされた物理ダウンリンク共有チャネルの受信の前もしくは後である。
【００１５】
本発明の別の例示的な態様において、ユーザ機器によって、ネットワークノードから１つまたは複数のダウンリンクスロットを受信するための手段であって、１つまたは複数のダウンリンクスロットが、アップリンク許可、ダウンリンク割当てのうちの少なくとも一方を含み、１つまたは複数のダウンリンクスロットが、少なくとも１つのユーザ機器によって周波数同調、帯域幅部分切替え、および帯域幅切替えのうちの少なくとも１つを実行すべき時間に関する指示を提供する、手段と、ユーザ機器によって、１つまたは複数のダウンリンクスロットに基づいて、周波数同調、帯域幅部分切替え、または帯域幅切替えのうちの少なくとも１つを実行するための手段と、ユーザ機器によって、周波数同調、帯域幅部分切替え、または帯域幅切替えのうちの少なくとも１つに基づいて無線周波数チェーンを介して少なくとも１つのアップリンクチャネルまたは信号を伝送するための手段とを備える装置がある。
【００１６】
さらなる例示的な実施形態は、前の段落のような装置であり、１つまたは複数のダウンリンクスロットは、伝送バーストの一部であり、伝送バーストは、１つまたは複数の空のシンボルもしくはスロットと、１つまたは複数のアップリンクスロットを有するアップリンク部分とをさらに含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、開始時間と終了時間との間のギャップを含む持続時間指示は、１つまたは複数のダウンリンクスロットの、マイクロ秒、ＯＦＤＭシンボル、ミニスロット、もしくはスロットのうちの少なくとも１つを単位とする時間の長さに基づき、かつ／または、周波数同調、帯域幅部分切替え、もしくは帯域幅切替えのうちの少なくとも１つを実行するように指示される時間は、少なくとも１つのユーザ機器でのスケジュールされた物理ダウンリンク共有チャネルの受信の前もしくは後であり、かつ／または、ダウンリンク制御情報は、周波数同調、帯域幅部分切替え、もしくは帯域幅切替えのうちの少なくとも１つを実行すべき時間を指示するための少なくとも１つのビットフィールドを含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、少なくとも１つの参照信号は、非周期的チャネル状態情報参照信号、追加の一次同期信号、もしくは追加の二次同期信号のうちの少なくとも１つを含み、少なくとも１つの追加の参照信号は、非周期的チャネル状態情報参照信号、追加の一次同期信号、もしくは追加の二次同期信号のうちの少なくとも１つを含み、かつ／または、周波数同調、帯域幅部分切替え、もしくは帯域幅切替えのうちの少なくとも１つを実行するように指示される時間は、ユーザ機器でのスケジュールされた物理ダウンリンク共有チャネルの受信の前もしくは後である。
【００１７】
本発明の例示的な態様において、少なくとも１つのプロセッサと、コンピュータプログラムコードを含む少なくとも１つのメモリとを備える、ユーザ機器装置などの装置があり、少なくとも１つのメモリおよびコンピュータプログラムコードは、少なくとも１つのプロセッサによって、装置に、少なくとも、ユーザ機器によって、ネットワークノードから１つまたは複数のダウンリンクスロットを受信することであって、１つまたは複数のダウンリンクスロットが、アップリンク許可、ダウンリンク割当てのうちの少なくとも一方を含み、１つまたは複数のダウンリンクスロットが、少なくとも１つのユーザ機器によって周波数同調、帯域幅部分切替え、および帯域幅切替えのうちの少なくとも１つを実行すべき時間に関する指示を提供する、受信することと、ユーザ機器によって、１つまたは複数のダウンリンクスロットに基づいて、周波数同調、帯域幅部分切替え、および帯域幅切替えのうちの少なくとも１つを実行することと、ユーザ機器によって、周波数同調、帯域幅部分切替え、または帯域幅切替えのうちの少なくとも１つに基づいて無線周波数チェーンを介して少なくとも１つのアップリンクチャネルまたは信号を伝送することと、を行わせるように構成される。
【００１８】
さらなる例示的な実施形態は、前の段落のような装置であり、１つまたは複数のダウンリンクスロットは、伝送バーストの一部であり、伝送バーストは、１つまたは複数の空のシンボルもしくはスロットと、１つまたは複数のアップリンクスロットを有するアップリンク部分とをさらに含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、開始時間と終了時間との間のギャップを含む持続時間指示は、１つまたは複数のダウンリンクスロットの、マイクロ秒、ＯＦＤＭシンボル、ミニスロット、もしくはスロットのうちの少なくとも１つを単位とする時間の長さに基づき、かつ／または、周波数同調、帯域幅部分切替え、もしくは帯域幅切替えのうちの少なくとも１つを実行するように指示される時間は、少なくとも１つのユーザ機器でのスケジュールされた物理ダウンリンク共有チャネルの受信の前もしくは後であり、かつ／または、ダウンリンク制御情報は、周波数同調、帯域幅部分切替え、もしくは帯域幅切替えのうちの少なくとも１つを実行すべき時間を指示するための少なくとも１つのビットフィールドを含み、かつ／または、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間をさらに含み、かつ／または、少なくとも１つの参照信号は、非周期的チャネル状態情報参照信号、追加の一次同期信号、もしくは追加の二次同期信号のうちの少なくとも１つを含み、少なくとも１つの追加の参照信号は、非周期的チャネル状態情報参照信号、追加の一次同期信号、もしくは追加の二次同期信号のうちの少なくとも１つを含み、かつ／または、周波数同調、帯域幅部分切替え、もしくは帯域幅切替えのうちの少なくとも１つを実行するように指示される時間は、ユーザ機器でのスケジュールされた物理ダウンリンク共有チャネルの受信の前もしくは後である。
【００１９】
上記の段落による例示的な実施形態によれば、少なくとも受信および実行するための手段は、少なくとも１つのプロセッサ［図５のようなＤＰ２３Ａ、リソースモジュール２３Ｇ、ＤＰ２１Ａ、および／またはリソースモジュール２１Ｇ］によって実行可能なコンピュータプログラム［図５のようなＰＲＯＧ２３Ｃおよび／またはＰＲＯＧ２１Ｃ］でエンコードされた非一時的なコンピュータ可読媒体［図５のようなＭＥＭ２３Ｂおよび／またはＭＥＭ２１Ｂ］を備える。
【００２０】
次に、いくつかの例示的な実施形態の前述の態様および他の態様について、添付図面を参照して説明する。
【図面の簡単な説明】
【００２１】
【図１】４ｋ  ＦＦＴに対する可能なＮＲ  ＢＷおよび異なるサブキャリア間隔の一例を示す図である。
【図２】キャリアチャネルＢＷ＝８０ＭＨｚ、サブバンドＢＷ＝２０ＭＨｚの、ｇＮＢ連続した伝送ＢＷの例示的な組合せを示す図である。
【図３】動的ＢＷ適応に基づく干渉回避の一例を示す図である。
【図４Ａ】リリース１５の帯域幅部分切替えの一例を示す図である。
【図４Ｂ】帯域幅部分切替えに関連する記載された動作の例示的な実施形態を示す図である。
【図４Ｃ】本明細書に記載されるような主題の例示的な実施形態の使用を示す図である。
【図５】本明細書に記載される主題の例示的な実施形態を示しており、主題の様々な態様を実施する際に使用され得る様々なデバイスの高レベルブロック図である。
【図６Ａ】本明細書に記載される主題である、装置によって実行され得る方法の例示的な実施形態を示す図である。
【図６Ｂ】本明細書に記載される主題である、装置によって実行され得る方法の例示的な実施形態を示す図である。
【発明を実施するための形態】
【００２２】
本発明の例示的な実施形態において、ライセンスされないＮＲ（ＮＲ−Ｕ）帯域のシナリオでアップリンク伝送のためのユーザ機器（ＵＥ）帯域幅部分（ＢＷＰ）切替えを可能にするための、装置によって実行される方法を提案する。
【００２３】
３ＧＰＰが、ライセンスされないスペクトルへのＮＲベースのアクセスに関連する新しい検討事項を承認した（ＲＰ−１７２０２１）。ＮＲ−Ｕセルが広帯域ライセンスされないスペクトル上で動作する場合、ＢＷＰ切替えが実行され、そのＢＷを動的に調整することができると考えられる。
【００２４】
ＬＴＥ  ＬＡＡおよびＭｕｌｔｅＦｉｒｅアップリンクでの関連するリッスンビフォアトーク（ＬＢＴ）動作に関して、ＬＴＥ  ＬＡＡでは、２つのチャネルアクセス（ＬＢＴ）手順、すなわち、タイプ１（カテゴリ４エネルギー検出ＬＢＴ手順の変形）、およびタイプ２（カテゴリ２エネルギー検出ＬＢＴ手順の変形）が定義されている。
・タイプ１のＬＢＴにおいて、ＵＥは、競合ウィンドウにわたって一様分布した乱数Ｎを生成し、競合ウィンドウのサイズは、トラフィックのチャネルアクセス優先クラスに依存する。ＵＥは、チャネルが空であることをＮ回測定すると、伝送でチャネルを占有することができる。ＵＥは、伝送をＬＴＥサブフレーム境界に合わせるために、ＬＢＴ手順中に自己延期を用いる必要があり得る。
・タイプ２のＬＢＴにおいて、ＵＥは、ＵＬ伝送の前に２５マイクロ秒の時間間隔でシングルチャネル測定を実行する。ＰＵＳＣＨの場合、ｅＮＢがそのチャネル占有時間（ＣＯＴ）をＵＥと共有するとき、このタイプのＬＢＴが実行され得る。言い換えれば、ｅＮＢはチャネルを求めて競合し、ｅＮＢがチャネルへのアクセスを取得すると、ＵＥはそのチャネル占有時間の一部をＵＬ伝送に使用できるようになる。
【００２５】
タイプ２のＬＢＴは効率的にスケジュールされたＵＬおよびＵＬ  ＦＤＭＡをサポートするので、タイプ２のＬＢＴを用いて、ライセンスされないＮＲにおいてもｇＮＢが取得したＣＯＴ内でＵＬ伝送をサポートすることは魅力的である。
【００２６】
ＭｕｌｔｅＦｉｒｅにおいては、ＤＬ伝送の終了後１６マイクロ秒以内にＵＬ伝送が開始する場合、ＵＥは、ｅＮＢが取得したＣＯＴ内のＵＬ制御シグナリングのためのＬＢＴ手順をスキップしてもよい。
【００２７】
いくつかのライセンスされない広帯域があり、場合によっては単一のｇＮＢ、またはＵＥでも、非常に広い帯域幅にアクセスすることができる。したがって、広帯域動作は、ライセンスされないＮＲにとって重要な構築ブロックの１つである。キャリアアグリゲーションとＢＷＰメカニズムは共に、広帯域動作のためのＲｅｌ−１５ＮＲでサポートされている。ライセンスされないＮＲは、両方のメカニズムを使用して、広帯域に対する十分に汎用性のあるサポートを実現することができる。
【００２８】
従来のキャリアアグリゲーションは、例えば以下のいくつかの利点を提供する。
・周波数領域の柔軟性：集約されるキャリアは隣接している必要はなく、広く離れていてもよい。これにより、例えばチャネルアクセスの多様性が得られる。
・各キャリアは、迅速なチャネルアクセスを意味する独自のＬＢＴを採用してもよい。
【００２９】
したがって、キャリアアグリゲーションが、ＮＲライセンスされるキャリアでのＬＡＡ動作を容易にすることに加えて、ライセンスされないＮＲに対してもサポートされるべきであることが分かる。もちろん、キャリアアグリゲーションもそれなりの価格を伴い、複数のＲＦチェーンが必要であるためＵＥトランシーバの価格が高くなる。加えて、キャリアアグリゲーションは、ＵＥの電力消費を増加させ、（ＵＥの電力を節約するために使用される）コンポーネントキャリアのアクティブ化／非アクティブ化にかなりの遅延がある。
【００３０】
Ｒｅｌ−１５ＮＲにおいて、ＢＷＰによる、サービングセル適応ＢＷの概念が導入された。Ｒｅｌ−１５ＮＲにおいて、ＵＥはｇＮＢのＢＷの特定の一部分、すなわちＢＷＰで動作するように命令される。ＵＬおよびＤＬに対して、最大４つのＢＷＰを個別に構成することができる。各ＢＷＰは、例えば、個別に構成されたサブキャリア間隔（ＳＣＳ）、サイクリックプレフィクス、連続するＰＲＢを単位とするＢＷ、およびセルの全ＢＷにおけるＢＷの位置、ならびに、ＤＬ割当ての受信から割り当てられたＰＤＳＣＨの開始までの時間オフセット、割り当てられたＰＤＳＣＨの終了から関連するＨＡＲＱ−ＡＣＫ伝送時間までの時間オフセット、およびＵＬ許可の受信からＰＵＳＣＨ伝送開始までの時間オフセットをそれぞれ定義するＫ０、Ｋ１、およびＫ２の値を有することができる。不対スペクトル（すなわち、ＴＤＤ）の場合、ＵＬおよびＤＬのＢＷＰを対にすることができ、その場合、両方のＢＷＰの中心周波数は同じである必要がある。ＢＷＰのうちの１つは、例えば、ＵＥのバッテリ節約を促進するために、デフォルトのＢＷＰと定義されてもよい。
【００３１】
Ｒｅｌ−１５ＮＲにおいて、ＵＥは、一度に１つのＢＷＰのみをアクティブにすることができる。アクティブＢＷＰは、ＤＣＩ内のフィールドまたはＲＲＣシグナリングによって指示され得る。ＢＷＰ切替えは、アクティブＢＷＰを変更するシグナリングをＵＥが受信した後に発生するが、切替え時間はまだ決定されていない。ＵＥはまた、設定された非アクティブ期間の後にデフォルトのＢＷＰにフォールバックしてもよい。
【００３２】
ＢＷＰメカニズムは、ＲＦチェーンの数を低減してＵＥコストの節約を実現することができるため、ＢＷＰメカニズムにより、隣接する２０ＭＨｚチャネルでライセンスされないスペクトルにアクセスするときに（キャリアアグリゲーションに加えて）代替の広帯域メカニズムが可能になる。キャリアアグリゲーションとは異なり、例えば、５ＧＨｚまたは６ＧＨｚの（潜在的な）ライセンスされない帯域で８０ＭＨｚまたは１６０ＭＨｚの広帯域幅にアクセスするために、ＢＷＰでは単一のＲＦチェーンおよびＦＦＴ処理を使用することができる。また、これにより、高速ＢＷＰ切替えを介してＵＥスループットとバッテリ消費量の間のトレードオフが向上する。ＢＷＰ切替え時間はコンポーネントキャリア（非）アクティブ化時間よりも短いため（３ＧＰＰ  ＲＡＮ４の議題）、ＵＥをかなり積極的に狭いＢＷＰに切り替える（そして、広帯域ＢＷＰに戻す）ことができ、ＵＥのバッテリを節約し、キャリアアグリゲーションでの遅いＣＣ（非）アクティブ化よりもスループットの低下を抑えることができる。一方、ＮＲ  ＢＷＰ切替え時間（数百マイクロ秒、例えばＲ４−１８０３２８３によれば６００マイクロ秒）は、ＬＢＴ手順での単一のＣＣＡ（例えば、９μｓ）とは明らかに桁違いである。これにより、ＢＷＰ動作とＬＢＴがどのように相互作用するかに関して制約が生じる。
【００３３】
チャネル競合メカニズム（すなわち、ＬＢＴ）は、効率的な広帯域動作の重要なコンポーネントの１つであり、広帯域動作のためのチャネル競合メカニズムは、ＳＩ中に考慮される必要がある。Ｗｉ−ＦｉとＬＴＥ  ＬＡＡのＬＢＴはどちらも、２０ＭＨｚチャネルで動作し、一部の規制ルール、例えばＥＴＳＩの標準では、５ＧＨｚ帯域の２０ＭＨｚグリッドでのＬＢＴ動作を要件としていることに留意すべきである。したがって、規制要件を満たし、他のシステムとの公正な共存を確保するために、ライセンスされないＮＲもまた、少なくとも５ＧＨｚライセンスされない帯域についてＬＢＴ動作用の２０ＭＨｚグリッドをサポートすべきである。もちろん、より広いＬＢＴ  ＢＷもまた、高周波数ライセンスされない帯域に対して、または６ＧＨｚ帯域などの潜在的な新しいライセンスされない帯域に対してサポートされるべきである。
【００３４】
（２０ＭＨｚを超える）ライセンスされないＮＲ広帯域動作について、本発明者らは次の例示的なシナリオを想定する。
・５ＧＨｚのライセンスされないスペクトルでの動作
・大きなＦＦＴサイズ（Ｒｅｌ−１５ＮＲでは、４ｋ、すなわちサイズ４０９６などのＦＦＴが想定されている）。Ｒｅｌ−１５でのＢＷＰあたりのＰＲＢの最大数は２７５である。背後にある想定は、ＵＥの実装が４ｋのＦＦＴ（２７５ＰＲＢ×１２サブキャリア／ＰＲＢ＝３３００サブキャリア）に基づいていることである。
・３０ｋＨｚまたは６０ｋＨｚなどの大きなＳＣＳ
【００３５】
図２は、キャリアチャネルＢＷ＝８０ＭＨｚの、ｇＮＢの連続した伝送ＢＷの可能な組合せを示し、キャリアチャネルＢＷは、それぞれが２０ＭＨｚのＢＷを有する４つのサブバンドを含む。
【００３６】
本発明の例示的な実施形態を説明する目的で、次の専門用語を定義する。
−  キャリア帯域幅：４０ＭＨｚ、８０ＭＨｚ、または１６０ＭＨｚなどのＮＲキャリア帯域幅
−  サブバンド：ライセンスされないキャリア上の１つの（または場合によっては複数の隣接する）チャネルであり、典型的には帯域幅は２０ＭＨｚである。サブバンドはＬＢＴの帯域幅に合わせて調整され、サブバンドは、単一のＬＢＴのＢＷ（例えば、２０ＭＨｚ）、または複数のＬＢＴのＢＷ（例えば、４０ＭＨｚ）に等しい場合があり、すべてのサブバンドが同じＢＷを有する場合があり、または異なるサブバンドのＢＷの組合せが存在する場合がある（例えば、８０ＭＨｚのキャリアＢＷに、例えば２０＋２０＋４０ＭＨｚのサブバンドが含まれる場合がある）。
【００３７】
図１は、４ｋのＦＦＴを想定したこのようなシナリオに対して可能な帯域幅能力を示し、各キャリア帯域幅は複数の２０ＭＨｚサブバンドを含む。図１に示すように、４ｋのＦＦＴに様々なＮＲ  ＢＷがあり、サブキャリア間隔も異なる。数字の「２０」は、２０ＭＨｚサブバンドを示す。
【００３８】
ＮＲ−Ｕシナリオでライセンスされない帯域規制に従って動作するとき、ｇＮＢは、セルでＤＬ  Ｔｘバーストの伝送を開始し得る前にＬＢＴを実行しなければならない。規制要件を満たし、他のシステムとの公正な共存を確保するために、ライセンスされないＮＲも、少なくとも２０ＭＨｚの分解能でサブバンドＬＢＴをサポートすべきである。
【００３９】
図３は、動的ＢＷ適応に基づく干渉回避の一例を示す図である。図３に示すように、サブバンド固有のＬＢＴの後、ｇＮＢには様々な可能な伝送帯域幅の組合せがある。この例では、８０ＭＨｚキャリア帯域幅と、２０ＭＨｚサブバンドの連続した割当てを想定している。図３に示すように、２０ＭＨｚサブバンドＬＢＴ３２０と共に、識別子３１０で示すように８０ＭＨｚのｇＮＢキャリアＢＷがある。図３の識別子３３０で示すように、チャネル占有時間（ＣＯＴ）間のＬＢＴ（空のギャップ）と共に、複数のスロットのＣＯＴまたは伝送（Ｔｘ）バーストがある。図３の識別子３４０で示すように、いくつかのサブバンドに干渉ブロッキングＬＢＴがある。この場合、図３の識別子３６０で示すように、ｇＮＢが、４０ＭＨｚのＴｘ  ＢＷに切り替えることを決定する。
【００４０】
Ｒｅｌ−１５ＮＲでは、ＵＥが特定のＢＷの一部分であるＢＷＰで動作するように命令されている間、ｇＮＢは一定のＢＷを維持すると想定された。しかしながら、ＮＲ−Ｕでは、ｇＮＢは広いＢＷ（例えば、８０ＭＨｚ）でチャネルアクセスを取得しようとしながらも、ＬＢＴの実行中（または、場合によってはＬＢＴの前でも）、ｇＮＢは、サブバンドＬＢＴの結果または何らかの他の測定値に基づいて、ｇＮＢが広いＢＷの一部分のみでチャネルアクセスを取得できることを観測してもよい。帯域外放射、すなわち隣接するチャネルまたはサブバンドへの不要な伝送に対して定義された規制ルールを満たすために、ｇＮＢは、そのＢＷを低減しながら、ＲＦ構成（中心周波数、アナログおよび／またはデジタルフィルタなど）を調整する必要がある場合がある。ｇＮＢは、ＬＢＴプロセス中またはプロセス前に、伝送帯域幅適応を決定および実行してもよい。ただし、本発明の例示的な実施形態を説明する目的で、次の伝送帯域幅（Ｔｘ  ＢＷ）という専門用語を、特有の用語として定義する。伝送帯域幅（Ｔｘ  ＢＷ）とは、ｇＮＢがＬＢＴの後に実際に伝送するスペクトルの一部分を意味する。前述のように、Ｔｘ  ＢＷは、ＬＢＴの結果に基づいて、キャリアＢＷと等しい場合もあれば、キャリアＢＷの一部分（１つまたは複数のサブバンド）である場合もある。図３には、動的ＢＷ適応に基づいた、可能性のある干渉回避の一例を示している。
【００４１】
ｇＮＢはＵＥが受信するよりも狭い帯域幅で伝送するが、ｇＮＢは、必ずしもＵＥにＤＬ受信のためにそのＲＦをｇＮＢ  Ｔｘ  ＢＷに再同調するよう求める必要はない。ただし、ＲＦの再同調なしの場合、ＵＥは、その帯域内で受ける干渉に対して脆弱なままである。一方、ｇＮＢからのＤＬ伝送が開始されたときにＵＥがＲＦの迅速な再同調を容易にすることは、不可能ではないにしても困難である場合がある。
【００４２】
ＵＬ伝送の観点から、このような柔軟なＢＷ動作には次の課題がある。
・ＵＥは、ＤＬ伝送の開始前に、ｇＮＢが伝送できる広いキャリアＢＷ（すなわち、すべてのサブバンド）のみを認識し、実際の伝送ＢＷ（Ｔｘ  ＢＷ）を認識しない。したがって、ＵＥは広いキャリアＢＷを使用してＤＬ伝送バーストを検出することになり、実際の伝送ＢＷがキャリアＢＷよりも小さい場合、ＵＥは、最終的に、未使用のサブバンドから大量の干渉信号を受信することになる場合もある。
・ｇＮＢは、チャネルアクセスを取得したＴｘ  ＢＷでのみＣＯＴを共有することができる。言い換えれば、ｇＮＢは、現在のＤＬ  Ｔｘバーストで使用しているＢＷ内でのみ、タイプ２のＬＢＴを用いてＰＵＳＣＨをスケジュールすることができる。
・ＵＥは、（タイプ２のＬＢＴを用いて）ＰＵＳＣＨ伝送を開始する前に、現在のＤＬ  ＴｘバーストまたはＰＵＳＣＨ割当てのＢＷに対応するように、そのＢＷおよび中心周波数を適応させる必要がある場合がある。
【００４３】
しかしながら、ＢＷＰ切替え中、ＵＥはＤＬ伝送を受信することを期待されていない。ＮＲ  Ｒｅｌ−１５の仕様において、ＢＷＰ遷移時間の１つの仮定は、６００マイクロ秒であり、ＢＷＰ切替え後の潜在的なＲＲＭ遅延は含まれていない。次のことに留意すべきである。
・スロット持続時間はそれぞれ、６０ｋＨｚのＳＣＳで２５０マイクロ秒、３０ｋＨｚのＳＣＳで５００マイクロ秒である。
・ＬＴＥ  ＬＡＡのｅＮＢは通常、チャネルアクセス優先クラス３のトラフィックの空のチャネルでタイプ１のＬＢＴ手順全体を約２００マイクロ秒で実行できる。
【００４４】
言い換えれば、伝送における６００マイクロ秒のギャップは、ライセンスされない動作にとってかなりのものであり、その間に、取得したチャネルアクセスが失われる可能性がある。伝送においてこのように長いギャップが望ましくないことは明らかである。
【００４５】
ＮＲライセンスされる帯域動作に際して、ＵＥは、ＤＬ割当てもしくはＵＬ許可（ＤＣＩフォーマット０＿１およびＤＣＩ１＿１）内の指示に基づいて、またはＲＲＣシグナリングに基づいて、そのアクティブＢＷＰを切り替える。Ｒｅｌ−１５ＮＲは、ＲＡＮ１＃９２で合意されたＢＷＰ切替え遷移時間をサポートする。
・ＤＣＩベースのアクティブＢＷＰ切替えの場合、ＲＡＮ１の観点から、アクティブＤＬまたはＵＬ  ＢＷＰ切替えの遷移時間は、アクティブＢＷＰ切替えＤＣＩを搬送するＰＤＣＣＨの最後のＯＦＤＭシンボルの終了から、アクティブＤＬ  ＢＷＰ切替えＤＣＩ内のＫ０またはアクティブＵＬ  ＢＷＰ切替えＤＣＩ内のＫ２によって指示されたスロットの開始までの期間である。
・タイマベースのアクティブＢＷＰ切替えの場合、ＲＡＮ１の観点から、アクティブＤＬまたはＵＬ  ＢＷＰ切替えの遷移時間は、サブフレーム（ＦＲ１）の開始から、またはＢＷＰタイマの期限が切れた直後のハーフサブフレーム（ＦＲ２）の開始から、対スペクトルの場合はデフォルトＤＬ  ＢＷＰで、または、不対スペクトルの場合はデフォルトＤＬもしくはＵＬ  ＢＷＰにおいて、ＵＥがＤＬ信号を受信すること、またはＵＬ信号を送信することが可能なスロットの開始までの期間である。
【００４６】
合意によれば、ＵＥは、アクティブＤＬまたはＵＬ  ＢＷＰ切替えの遷移時間中、ＤＬ信号を受信すること、またはＵＬ信号を送信することを期待されていない。
【００４７】
Ｒｅｌ−１５ＮＲは、ＵＥのＢＷＰ遷移時間に対する制御を、効率的なＮＲ−Ｕ広帯域動作のために十分な程にはｇＮＢに提供しない可能性がある。
・ＢＷＰ切替えを用いてＵＬ許可を送信した後、ＤＬバーストの残りの部分の間は、ＵＥに対して、ＰＤＣＣＨもＰＤＳＣＨもスケジュールすることはできない。
・デュアルコネクティビティＬＡＡおよびスタンドアロンＮＲ−Ｕのシナリオでは、ＵＥはＮＲライセンスされないキャリアを介してＨＡＲＱフィードバックを報告する。したがって、ＵＥはＤＬ割当てに対してもＢＷＰ切替えを実行する必要がある。Ｒｅｌ−１５ｇＮＢは、ＤＬ割当てとＰＤＳＣＨの間のＢＷＰ遷移時間を事前に予約する必要がある。
【００４８】
このようなＢＷＰ切替え関連のスケジューリング制限の下で連続した伝送を構築する場合、特にＮＲ−ＵセルがＣＯＴ内に少数のＵＥにしかサービスできないため（セルサイズが小さいため）、スケジューリングが複雑になる。ＣＯＴ内のわずかなギャップのみで信号の有用な送信および受信をサポートしながら、ＤＬ伝送バースト中のＵＥのＢＷ適応を容易にするには、より柔軟なシグナリングが望ましい。
【００４９】
ＮＲライセンスされる帯域の動作に際して、ＵＥは、ＤＬ割当てもしくはＵＬ許可（ＤＣＩフォーマット０＿１およびＤＣＩ１＿１）における指示に基づいて、またはＲＲＣシグナリングに基づいて、そのアクティブなＢＷＰを切り替える。Ｒｅｌ−１５ＢＷＰ切替えの制限については、前節で説明した。
【００５０】
ＬＴＥ  ＬＡＡおよびＭｕｌｔｅＦｉｒｅは、キャリアアグリゲーションによってのみＷＢ動作をサポートする。前述のように、キャリアアグリゲーションは、２０ＭＨｚコンポーネントキャリアごとに個別のＲＦチェーンを想定している。ＬＢＴの分解能はＬＡＡとＭｕｌｔｅＦｉｒｅの両方におけるコンポーネントキャリア帯域幅と同じであるため、ＵＥでのＲＦ再同調に関して問題はない。
【００５１】
本発明の例示的な実施形態は、ｇＮＢが、サブバンドベースのＬＢＴを実行するキャリア全体またはＢＷ（または広いＢＷ）でチャネルアクセスを取得するのではなく、サブバンドうちのいくつか（または少なくとも１つ）でのみチャネルアクセスを取得する状況に焦点を当てる。
【００５２】
本発明の例示的な実施形態は、少なくとも以下で記載されるような実装関連の部分および標準関連の部分を使用した新規な動作を含む。
【００５３】
本明細書に記載されるような動作の実装に関して、以下のことに留意されたい。
・ｇＮＢが、ＤＬバースト中に複数のＵＥにＰＤＳＣＨをスケジュールするとき、ｇＮＢは、（少なくとも）１つのＵＥがＢＷＰを切り替えている（ＲＦを再同調している）スロットにおいて別のＵＥがＤＬを受信しているように、タイプ２のＬＢＴを用いて（またはＬＢＴなしで）ＵＬで（ＰＵＳＣＨもしくはＰＵＣＣＨ、または他のチャネルもしくは信号で）伝送するようにスケジュールされたＵＥごとにＢＷＰ切替え（ＲＦ同調）遷移時間を決定する、かつ／または
・ｇＮＢが、ＤＬバースト中に単一のＵＥにのみＰＤＳＣＨをスケジュールするとき、同じＵＥがＵＬで伝送するようにスケジュールされている場合、ＤＬバーストとＵＬ伝送の開始との間に、空のチャネルでのＢＷＰ切替え（ＲＦ再同調）とＬＢＴ測定の両方にとって十分なギャップがあるように、ＵＬ伝送がスケジュールされる。
【００５４】
本発明の例示的な実施形態は、無線周波数（ＲＦ）チェーンを使用することに留意されたい。ＲＦチェーンを、マルチユーザ多入力多出力（ＭＩＭＯ：ｍｕｌｔｉｐｌｅ  ｉｎｐｕｔ  ｍｕｌｔｉｐｌｅ  ｏｕｔｐｕｔ）システムに使用することもできる。ＲＦチェーンをオンまたはオフにすることができ、ＲＦチェーンを使用して、トラフィック変動などに基づいてより大きな容量を提供し、エネルギー消費を節約することができる。ＲＦチェーンは、信号を受信または送信するために使用される無線周波数コンポーネントのセットまたはチェーンである。例示的な実施形態によれば、ＲＦチェーンは、少なくとも、周波数同調、ＢＷＰ切替え、またはＢＷＰ切替えの指示を受信するため、かつ／またはそれらを実行するために使用され、ユーザ機器によって、１つまたは複数のダウンリンクスロットに基づいて周波数同調、帯域幅部分切替え、または帯域幅切替えのうちの少なくとも１つを実行することに適用された。
【００５５】
本明細書に記載されるような標準関連の動作は、以下を含み得ることに留意されたい。
・ＵＥがその中心周波数および／もしくはＢＷを切り替えるように、または（例えば従来技術のように）ＢＷＰを切り替えるように指示されるとき、ＵＥは、ＲＦ再同調またはＢＷＰ切替えをいつ実行するかも指示される。
・指示は、明示的でも暗黙的でもよい。
・ＵＬ許可に加えて、ＤＬ割当ては、ＵＬ  ＢＷＰ切替えの指示も含んでもよい。
・一実施形態において、ＢＷＰ切替え時間指標は、ＢＷＰ切替えが、割り当てられたＰＤＳＣＨの前に行われるのか後に行われるのかのフラグである。
・ＵＥは、例えばＰＤＣＣＨを介して動的に、追加のＤＬ参照信号の存在について指示されるか、またはＢＷ切替え（再同期）を補助するために追加のＵＬ参照信号を伝送するように命令されてもよい。
【００５６】
例示的な一実施形態において、標準関連の部分は、実装関連の部分と組み合わせて使用されてもよい。
【００５７】
図４Ａは、リリース１５の帯域幅部分切替え（ＢＷＰ）に関する問題を示す。図４Ａに示すように、ＤＬ割当てによってトリガされたＢＷＰ切替え中、ｇＮＢは何も伝送しない。この場合、識別子４０１で示すように、少なくとも次のような選択肢（Ａｌｔ）が存在する。
−  選択肢Ａ：ＢＷＰ切替え時間中、チャネルが、例えばＷｉ−Ｆｉによって占有され得る。スロット１のＰＤＣＣＨを介してスケジュールされたスロット３〜６のＰＤＳＣＨは伝送されないが、ＵＥは、そのことを検出しない。ＵＥは、スロット３〜６のＰＤＳＣＨが伝送されたと誤って仮定し、ＨＡＲＱバッファに対する干渉を集めるため、ＨＡＲＱバッファが破損することになる。これにより、１回のＰＤＳＣＨ再送のみならず、おそらく複数回の再送、場合によってはＨＡＲＱ失敗およびＡＲＱベースの再送も発生することになる。
−  選択肢Ｂ：チャネルは空のままであり、ＰＤＳＣＨがスケジュール通りに伝送される。しかしながら、ＢＷＰ切替え中のリソース（スロット１およびスロット２）は無駄になる。
【００５８】
図４Ｂは、本発明の例示的な実施形態による帯域幅部分切替えに関連する動作を示す。図４Ｂに示すように、スロット１の４０３では、ＵＥ１（Ｋ０＝０）およびＵＥ２（Ｋ０＝２）のダウンリンク割当て、ならびにＵＥ１の対応するＰＤＳＣＨ  ＤＬデータが伝送される。ＵＥ２は、ダウンリンク割当てを受信した後、スロット１の間にＢＷＰ切替えの実行を開始する。スロット２の４０４では、ＵＥ２が引き続きＢＷＰ切替えを実行する一方で、より多くのダウンリンクデータ（別のＰＤＳＣＨ）がＵＥ１に伝送される。スロット３の４０５およびスロット４の４０６では、ＵＥ１が、ＰＤＳＣＨを受信した後、ＢＷＰ切替えを実行している。スロット３の４０５では、スロット１の４０３でＵＥ２に割り当てられたダウンリンクデータがＵＥ２に伝送され、スロット４の４０６でより多くのダウンリンクデータ（別のＰＤＳＣＨ）がＵＥ２に送信される。
【００５９】
図４Ｃは、本発明の例示的な実施形態の使用に関する図である。図４Ｃに示すように、８０ＭＨｚ帯域幅（ＢＷ）４１０で動作するｇＮＢおよびＵＥ１＆２がある。加えて、４つの２０ＭＨｚサブバンドによるｇＮＢリッスンビフォアトーク（ＬＢＴ）４２０がある。識別子４３０で示すように、ＬＢＴ中、ｇＮＢは４０ＭＨｚの伝送（Ｔｘ）帯域幅を使用することを決定する。次いで、識別子４４０で示すように、ＵＥ＃１は、ＢＷ切替えを指示するダウンリンク（ＤＬ）割当てを含むＰＤＣＣＨをスロットｎで受信する。ＵＥ＃１の場合、ＤＬ割当ては、（ＰＵＣＣＨ伝送のための）４０ＭＨｚ帯域幅部分への切替えが、スロットｎでのＰＤＳＣＨの受信の１スロット後に発生することを指示する。識別子４４５で示すように、ＵＥ＃２は、Ｋ０＝２を伴うダウンリンク割当てを受信し、ＤＬ割当ては、（ＰＵＣＣＨ伝送のための）４０ＭＨｚ帯域幅部分への切替えが、スロットｎ＋２にスケジュールされたＰＤＳＣＨの２スロット前、すなわちスロットｎおよびスロットｎ＋１中に発生することを指示する。さらに、識別子４５０で示すように、スロットｎ＋１内に、第２のＰＤＳＣＨをスケジュールするＵＥ＃１に対するＤＬ割当てを有する別のＰＤＣＣＨがあり、ＤＬ割当ては、（ＰＵＣＣＨ伝送のための）４０ＭＨｚ帯域幅部分への切替えが、スロットｎ＋１のＰＤＳＣＨの直後に発生することを指示する。図４Ｃの識別子４６０で示すように、ＵＥ＃１のＢＷＰおよびＵＥ＃２のＢＷＰは、スロットｎ＋２およびスロットｎ＋３中に４０ＭＨｚに切り替えられる。図４Ｃの識別子４７０で示すように、ＵＥ＃２は、現時点でＢＷＰ切替えを実行しており、ＤＬ割当てを含むＰＤＣＣＨ、および２つのサブバンドを有する割り当てられたＰＤＳＣＨを受信する。次いで、図４Ｃの識別子４８０で示すように、ｇＮｏｄｅＢ（例えば、ｇＮＢ）は、周波数および微細同調のための追加のＲＳを伝送する。
【００６０】
ＢＷＰ切替え時間の明示的指示は、例えば、ＵＬ許可／ＤＬ割当てＤＣＩ内の特定のビットフィールド、またはＧＣ−ＰＤＣＣＨ、またはＤＣＩフォーマット２＿０もしくはその変形を介するものでもよい。フィールドは、例えば、ＰＤＣＣＨが受信される最初のシンボル／スロットからＢＷＰ切替えの開始までのシンボル／スロットオフセットを指示してもよい。最も単純な形式では、これは、ＵＥがＢＷＰ切替えを、ＤＬ割当てがスケジュールするＰＤＳＣＨの前に実行すべきか、後に実行すべきか、またはＢＷＰ切替えを全く実行しないことを指示するＤＬ割当て内の指標とすることができる。
【００６１】
切替え時間の持続時間（または代替として、ＢＷＰ切替えの終了時間）は、仕様で事前定義されるか、ＵＥの能力に基づいてＲＲＣシグナリングで構成されてもよく、または、明示的な指示によって与えられてもよい。持続時間は、マイクロ秒、ＯＦＤＭシンボル、ミニスロット、および／またはスロットを単位として定義されてもよい。持続時間はまた、ＵＥに対して指示されるタイミングアドバンスの値に依存してもよい。ＢＷＰ切替え中、ＵＥは、対応するＲＦチェーンを介して受信／送信できない場合がある。ＢＷＰ切替え後、ＵＥは、異なるＢＷおよび／またはキャリア周波数で、ＣＯＴ内でＤＬ受信を継続することができる。
【００６２】
暗黙的指示を実行するには、いくつかの方法があり得る。例えば、以下の通りである。
・ＵＥは、ＢＷＰ切替えを指示するＤＬ割当て／ＵＬ許可を受信した後、ｇＮＢが前のスロット（Ｋ０値が０より大きい）でＰＤＳＣＨをスケジュールしていない最初のスロット内でＢＷＰ切替えを実行する。
・ＣＯＴの開始時にＧＣ−ＰＤＣＣＨまたはＤＣＩフォーマット２＿０を受信しているが、ＣＯＴの最初のスロットに対するＰＤＳＣＨのＤＬ割当てを受信していないＵＥが、ＣＯＴの最初のスロット内でＢＷＰ切替えを実行することができる。
・ＢＷＰ切替え時間の暗黙的指示は、例えば、ＵＬ許可を受信し、ＵＬ許可がスケジュールするＰＵＳＣＨの伝送前に、ＢＷを所定の数、例えば設定された数のスロットまたはシンボルに切り替えるべきであると決定することを含み得る。
・代替として、または追加として、ＢＷＰ切替え時間の暗黙的指示は、例えば、ＰＤＳＣＨのＤＬ割当ておよび対応するＰＤＳＣＨデータ伝送を受信し、ＰＤＳＣＨに対するＨＡＲＱ−ＡＣＫを搬送するＰＵＣＣＨ伝送の伝送前に、ＢＷを所定の数、例えば設定された数のシンボルまたはスロットに切り替えるべきであると決定することを含み得る。および／または、
・代替として、または追加として、ＢＷＰ切替え時間の暗黙的指示は、例えば、ＢＷＰ切替えを指示するＤＬ割当てを受信し、Ｋ０の値（すなわち、ＰＤＣＣＨ  ＤＬ割当てとそれがスケジュールするＰＤＳＣＨとの間のギャップ）がＤＬ割当てとＰＤＳＣＨとの間のＢＷＰ切替えに対応する程度に十分に大きい場合、ＰＤＳＣＨの前にＢＷＰを切り替えるべきであると決定することを含み得る。それ以外の場合、ＢＷＰ切替えは、ＤＬ割当て後に、例えば、他の暗黙的シグナリング方法によって決定された時間通りに発生する。
【００６３】
さらに、例示的な実施形態によるように、少なくとも周波数同調、帯域幅部分切替え、または帯域幅切替えに関連する動作を実行させるための伝送は、１つまたは複数の空のシンボルまたはスロット、および１つまたは複数のアップリンクスロットを有するアップリンク部分を備えるか含み得ることに留意されたい。しかしながら、本明細書に開示されるような動作が、これらの項目のうちの１つまたは複数のいずれも含まない可能性もあるため、これは限定的ではないことに留意されたい。
【００６４】
ＢＷＰ切替えを実行した後、ＵＬ伝送を開始する前に、ＵＥは、その周波数および時間の微細同調のために追加のＤＬ参照信号を受信する必要がある場合がある。ＵＥは、ＰＤＣＣＨ／ＰＤＳＣＨ受信に必要な周波数／時間の同期を達成するために、ＰＤＣＣＨおよび／またはＰＤＳＣＨのＤＭＲＳを使用してもよい。これには、少なくとも一定のＤＭＲＳが周波数および時間における既定の位置にあることが必要である場合がある。
【００６５】
これを容易にするためには、以下の通りである。
・ｇＮＢは、ＢＷＰ切替え前に、（例えば、クロススロットスケジューリングまたはマルチスロットスケジューリングによって）ＰＤＳＣＨを（ＢＷＰ切替え後に伝送されるように）スケジュールしてもよい。
・ｇＮＢは、ＢＷＰ切替え後に、ＤＭＲＳがＣＯＲＥＳＥＴ全体をカバーする広帯域ＤＭＲＳを使用してもよい。
・ｇＮＢは、ＢＷＰ切替え後に、（同期エラー時にＵＥがＰＤＣＣＨブラインド検索を実行しやすくするために）ＰＤＳＣＨスケジューリングに既定の（サブセットの）ＰＤＣＣＨブリンク復号候補を使用してもよい。
【００６６】
例示的な実施形態によれば、本明細書に記載されるような同調は、初期同調または再同調であってもよい。
【００６７】
代替として、ｇＮＢは、ＤＬバーストの最後まで、例えば最初のシンボルでの、例えばＤＬバーストの最後のスロット中、他の追加の参照信号を含んでもよい。さらに、
・これらの参照信号には、例えば、非周期的ＣＳＩ−ＲＳ、非周期的ＣＳＩ−ＲＳなどのＣＳＩ−ＲＳ、または追加のＰＳＳ／ＳＳＳが含まれ得る
・追加のＤＬ参照信号の存在は、ＢＷＰ切替えをトリガするＤＣＩで、またはグループ共通ＤＣＩの一部として指示され得る、かつ／または
・（ＣＯＴ内のすべてのＵＥがすでに切替えを実行しているように）ＤＬバーストの最後に追加の参照信号を有することは、ＢＷＰ切替えを実行するすべてのＵＥが周波数／時間の微細同調に同じ参照信号を使用できるという利点がある。
【００６８】
ｇＮＢは、ＵＥが十分な量のＤＬ参照信号を受信するまで、ＢＷＰ切替え後、ＤＬとＵＬの両方で保守的リンク適応（すなわち、通常よりも低いＭＣＳ）を使用してもよい。ＵＬに適用する場合、これは、次のＤＬバーストまで保守的リンク適応が使用されることを意味する。
【００６９】
複数のＣＯＴ／伝送バーストにわたって同じＢＷＰ設定が使用されることが予想され得るため、ＣＯＴ／伝送バーストごとのＢＷ適応は期待されない。このような情報は、例えば、ＤＣＩ（例えば、ＤＬ／ＵＬ許可、および／またはグループ共通ＤＣＩ）内に含めることができる。複数のＣＯＴにわたって「同じＢＷＰ設定」に従って動作するように特定のタイマを定義することもできる。タイマが時間切れになると、ＵＥは再び既定の（またはデフォルトの）サブバンド構成を想定する場合がある。
【００７０】
本発明の例示的な実施形態の利点には、少なくとも以下が含まれることに留意されたい。
・スケジューリングがそれほど複雑でないＮＲ−Ｕ広帯域キャリアで、ＢＷＰベースのＢＷ適応の使用が許容されること。ＢＷＰ手段の使用
・ＣＡベースの動作と比較して実装コストが低いこと
・干渉／チャネル占有状況の変化への迅速な適応
・広帯域動作に基づくＮＲ−Ｕの場合にも、ＬＴＥ  ＬＡＡ／ＭｕｌｔｅＦｉｒｅ用に定義されたＬＢＴフレームワークを再利用できること
【００７１】
例示的な実施形態によれば、ネットワークノードはチャネルを求めて競合してもよく、ネットワークノードがチャネルへのアクセスを取得すると、ＵＥはそのチャネル占有時間の一部をＵＬ伝送に使用できるようになる。チャネル占有時間内の伝送は、例えば、ＵＥによるＵＬ  ＬＢＴに使用される１つまたは複数のスロット、場合によっては１つまたは複数の空のスロットを有する、ネットワークノードによって伝送されるダウンリンク部分と、場合によっては、１つまたは複数のＵＥからの伝送を含む１つまたは複数のスロットを有するアップリンク部分とを含む、伝送バーストと見なされ得る。
【００７２】
さらに、本明細書に記載されるような本発明の例示的な実施形態を実行するように構成され得るデバイスを説明するために、本発明の例示的な実施形態を実施する際に使用するのに適した様々な電子デバイスの簡略ブロック図を示した図５を参照する。図５のネットワークノード２２は、通信ネットワーククラウド２００に関連付けることができる。ネットワークノードは、これらに限定されないが、ｅＮＢ、ｅｅＮＢ、またはｇＮＢなどの基地局とすることができる。ネットワークノード２２は、少なくとも１つのコンピュータまたはデータプロセッサ（ＤＰ）２２Ａなどのコントローラと、コンピュータ命令のプログラム（ＰＲＯＧ）２２Ｃを記憶するメモリ（ＭＥＭ）２２Ｂとして具現化された少なくとも１つのコンピュータ可読メモリ媒体と、データ／制御経路２１２Ｆを介してアンテナ２００ＦからＵＥ２１のアンテナ２１Ｆまで、および／または、データ／制御経路２１５Ｆを介してアンテナ２００ＦからＵＥ２３のアンテナ２３Ｆまで（ＭＩＭＯ動作が使用されている場合は、いくつか）を経由するＵＥ２１との通信用の少なくとも１つの適切なＲＦトランシーバ２２Ｄとを含む。ネットワークノード２２は、データ／制御経路２１２Ｆを介してＵＥ２１に結合される。経路２１２Ｆは、ワイヤードおよび／またはワイヤレス接続などによって実装されてもよい。ネットワークノード２２はまた、本明細書に記載されるような切替え関連の動作のために、別のネットワークノード、例えば、別のｅＮＢ、ｅｅＮＢ、またはｇＮＢなどの別のデバイスに結合することもできる。
【００７３】
ＵＥ２３は、少なくとも１つのコンピュータまたはデータプロセッサ（ＤＰ）２３Ａなどのコントローラと、コンピュータ命令のプログラム（ＰＲＯＧ）２３Ｃを記憶するメモリ（ＭＥＭ）２３Ｂとして具現化された少なくとも１つの非一時的なコンピュータ可読メモリ媒体と、１つもしくは複数のアンテナ２３Ｆおよび／またはハードワイヤード接続を介してＵＥ２１、ネットワークノード２２、および／またはクラウドに関連付けられている別のデバイスとの双方向ワイヤレス通信用の少なくとも１つの適切な無線周波数（ＲＦ）送信機と受信機のペア（トランシーバ）２３Ｄとを含む。加えて、ＵＥ２３は、接続２２２Ｆを介するなどして直接的または間接的にＵＥ２１に接続されてもよい。
【００７４】
ＵＥ２１は、少なくとも１つのコンピュータまたはデータプロセッサ（ＤＰ）２１Ａなどのコントローラと、コンピュータ命令のプログラム（ＰＲＯＧ）２１Ｃを記憶するメモリ（ＭＥＭ）２１Ｂとして具現化された少なくとも１つの非一時的なコンピュータ可読メモリ媒体と、１つもしくは複数のアンテナ２１Ｆおよび／またはハードワイヤード接続を介してＵＥ２３、ネットワークノード２２、および／またはクラウドに関連付けられた別のデバイスとの双方向ワイヤレス通信用の少なくとも１つの適切な無線周波数（ＲＦ）送信機と受信機のペア（トランシーバ）２１Ｄとを含む。上述のように、ＵＥ２３は、接続２２２Ｆを介するなどして直接的または間接的にＵＥ２１に接続されてもよい。
【００７５】
本発明の例示的な実施形態を説明する目的で、ネットワークノード２２、ＵＥ２１、および／またはＵＥ２３はそれぞれ、リソースモジュール２２Ｇ、２１Ｇ、および２３Ｇを含むものと仮定されている。リソースモジュール２１Ｇ、２２Ｇ、および／または２３Ｇは、本明細書に記載されるような本発明の例示的な実施形態に従って動作するように構成されるものと仮定されている。
【００７６】
プログラム２１Ｃ、２２Ｃ、および２３Ｃのうちの少なくとも１つは、関連するデータプロセッサによって実行されると、本出願の本明細書に記載されるような本発明の例示的な実施形態に従ってデバイスが動作することを可能にするプログラム命令を含むものと仮定されている。すなわち、本発明の例示的な実施形態は、ＤＰ２１Ａ、ＤＰ２２Ａ、および／もしくはＤＰ２３Ａによって実行可能なコンピュータソフトウェアによって、またはハードウェアによって、またはソフトウェアとハードウェア（および／もしくはファームウェア）の組合せによって、少なくとも部分的に実装されてもよい。同様に、リソースモジュール２１Ｇ、２２Ｇ、および２３Ｇは、本明細書に記載されるようなＢＷ切替え関連の動作を実行するように構成されてもよい。リソースモジュール２１Ｇ、２２Ｇ、および２３Ｇは、実行可能なコンピュータソフトウェアによって、またはハードウェアによって、またはソフトウェアとハードウェア（およびファームウェア）、例えば、図５に示すようなソフトウェアとハードウェアの組合せによって、少なくとも部分的に実装されてもよい。
【００７７】
図５に示す様々なデータプロセッサ、メモリ、プログラム、トランシーバ、およびインターフェースはすべて、本発明のいくつかの非限定的な態様および実施形態を実施する動作および機能を実行するための様々な手段を表すものと見なされ得る。
【００７８】
一般に、ＵＥ２１の様々な実施形態は、サーバ、セルラーモバイルデバイス、無線および／または有線通信機能を有する携帯情報端末（ＰＤＡ：ｐｅｒｓｏｎａｌ  ｄｉｇｉｔａｌ  ａｓｓｉｓｔａｎｔ）、通信機能を有する携帯型コンピュータ、ＧＰＳデバイス、通信機能を有するデジタルカメラなどの画像取込デバイス、通信機能を有するゲームデバイス、通信機能を有する音楽記憶再生機器、ワイヤレスインターネットアクセスおよびブラウジングを可能にするインターネット機器、ならびにこのような機能の組合せを組み込んだ携帯型のユニットまたは端末を含み得るが、これらに限定されない。
【００７９】
コンピュータ可読メモリ２１Ｂ、２２Ｂ、および２３Ｂは、ローカル技術環境に適した任意のタイプのものでよく、半導体ベースのメモリデバイス、ランダムアクセスメモリ、読み取り専用メモリ、プログラム可能な読み取り専用メモリ、フラッシュメモリ、磁気メモリデバイスおよびシステム、光メモリデバイスおよびシステム、固定メモリおよびリムーバブルメモリなどの任意の適切なデータ記憶技術を使用して実装されてもよい。データプロセッサ２１Ａ、２２Ａ、および２３Ａは、ローカル技術環境に適した任意のタイプのものでよく、非限定的な例としては、汎用コンピュータ、専用コンピュータ、マイクロプロセッサ、デジタル信号プロセッサ（ＤＳＰ）、およびマルチコアプロセッサアーキテクチャに基づくプロセッサのうちの１つまたは複数が含まれ得る。
【００８０】
図６Ａは、限定されないが、図５のようなネットワークノード２２、またはｅＮＢ、ｅｅＮＢ、もしくはｇＮＢなどのネットワークデバイスによって実行され得る動作を示す。図６Ａのステップ６１０に示すように、ネットワークノードによって、周波数同調、帯域幅部分切替え、または帯域幅切替えのうちの少なくとも１つを実行すべきであると決定するステップがあり、図６Ａのステップ６２０に示すように、ネットワークノードによって、決定に基づいて少なくとも１つのユーザ機器に１つまたは複数のダウンリンクスロットを送信するステップがあり、１つまたは複数のダウンリンクスロットは、周波数同調、帯域幅部分切替え、または帯域幅切替えうちの少なくとも１つを実行すべき時間に関する指示を提供する。
【００８１】
上記段落で述べたような例示的な実施形態によれば、１つまたは複数のダウンリンクスロットは、伝送バーストの一部であり、伝送バーストは、１つまたは複数の空のシンボルまたはスロットと、１つまたは複数のアップリンクスロットを有するアップリンク部分とをさらに含む。
【００８２】
上記段落で述べたような例示的な実施形態によれば、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間、もしくは開始時間の情報、もしくは開始時間に関する指示をさらに含む。
【００８３】
上記段落で述べたような例示的な実施形態によれば、開始時間と終了時間との間のギャップを含む持続時間指示は、１つまたは複数のダウンリンクスロットの、マイクロ秒、ＯＦＤＭシンボル、ミニスロット、またはスロットのうちの少なくとも１つを単位とする時間の長さに基づく。
【００８４】
上記段落で述べたような例示的な実施形態によれば、周波数同調、帯域幅部分切替え、または帯域幅切替えのうちの少なくとも１つを実行するように指示される時間は、少なくとも１つのユーザ機器でのスケジュールされた物理ダウンリンク共有チャネルの受信の前または後である。
【００８５】
上記段落で述べたような例示的な実施形態によれば、ダウンリンク制御情報は、周波数同調、帯域幅部分切替え、または帯域幅切替えのうちの少なくとも１つを実行すべき時間を指示するための少なくとも１つのビットフィールドを含む。
【００８６】
非一時的なコンピュータ可読媒体（図５のＭＥＭ２２Ｂ）は、プログラムコード（図５のようなＰＲＯＧ２２Ｃ）を記憶し、プログラムコードは、少なくとも１つのプロセッサ（図５のようなＤＰ２２Ａおよび／またはリソースモジュール２２Ｇ）によって実行されて、少なくとも上記段落で述べたような動作を実行する。
【００８７】
上述のような本発明の例示的な実施形態によれば、周波数同調、帯域幅部分切替え、および帯域幅切替えのうちの少なくとも１つを少なくとも１つのユーザ機器［図５のようなＵＥ２３および／またはＵＥ２１］によって実行すべきであると決定するための手段［図５のようなＤＰ２２Ａおよび／またはリソースモジュール２２Ｇ］を備える装置があり、また図６Ａのステップ６２０に示すように、決定に基づいて、少なくとも１つのユーザ機器［図５のようなＵＥ２３および／またはＵＥ２１］に１つまたは複数のダウンリンクスロットを送信するための手段［図５のようなＲＳ２２Ｅおよびアンテナ２００Ｆ］があり、１つまたは複数のダウンリンクスロットは、少なくとも１つのユーザ機器［図５のようなＵＥ２３および／またはＵＥ２１］によって周波数同調、帯域幅部分切替え、または帯域幅切替えのうちの少なくとも１つを実行すべき時間に関する指示を提供する［図５のようなＤＰ２２Ａおよび／またはリソースモジュール２２Ｇ］。
【００８８】
上記段落による本発明の例示的な態様において、少なくとも決定および送信するための手段は、少なくとも１つのプロセッサ［図５のようなＤＰ２２Ａおよび／またはリソースモジュール２２Ｇ］によって実行可能なコンピュータプログラム［図５のようなＰＲＯＧ２２Ｃ］でエンコードされた非一時的なコンピュータ可読媒体［図５のようなＭＥＭ２２Ｂ］を備える。
【００８９】
図６Ｂは、限定されないが、デバイス［図５のようなＵＥ２３および／またはＵＥ２１］などのデバイスによって実行され得る動作を示す。図６Ｂのステップ６５０に示すように、ユーザ機器によって、ネットワークノードから１つまたは複数のダウンリンクスロットを受信するステップがあり、１つまたは複数のダウンリンクスロットは、アップリンク許可またはダウンリンク割当てのうちの少なくとも一方を含み、１つまたは複数のダウンリンクスロットは、ユーザ機器によって周波数同調、帯域幅部分切替え、または帯域幅切替えのうちの少なくとも１つを実行すべき時間に関する指示を提供し、図６Ｂのステップ６６０に示すように、ユーザ機器によって、１つまたは複数のダウンリンクスロットに基づいて、周波数同調、帯域幅部分切替え、または帯域幅切替えのうちの少なくとも１つを実行するステップがあり、図６Ｂのステップ６７０に示すように、ユーザ機器によって、周波数同調、帯域幅部分切替え、または帯域幅切替えのうちの少なくとも１つに基づいて無線周波数チェーンを介して少なくとも１つのアップリンクチャネルまたは信号を伝送するステップがある。
【００９０】
上記段落で述べたような例示的な実施形態によれば、１つまたは複数のダウンリンクスロットは、伝送バーストの一部であり、伝送バーストは、１つまたは複数の空のシンボルまたはスロットと、１つまたは複数のアップリンクスロットを有するアップリンク部分とをさらに含む。
【００９１】
上記段落で述べたような例示的な実施形態によれば、ユーザ機器は、周波数同調、帯域幅部分切替え、または帯域幅切替えのうちの少なくとも１つに基づいて無線周波数チェーンを介して少なくとも１つのアップリンクチャネルまたは信号を伝送するステップに先立って、タイプ２のチャネルアクセス手順を実行する。
【００９２】
上記段落で述べたような例示的な実施形態によれば、ユーザ機器は、第１の周波数から第２の周波数への切替え、第１の帯域幅部分から第２の帯域幅部分への切替え、または第１の帯域幅から第２の帯域幅への切替えのうちの少なくとも１つの後、１つまたは複数のダウンリンクスロットの最後のダウンリンクスロットまで、ネットワークノードからダウンリンクチャネルまたは信号を受信し続ける。
【００９３】
上記段落で述べたような例示的な実施形態によれば、第１の帯域幅部分から第２の帯域幅部分への切替えは、１つまたは複数のダウンリンクスロットの最後のダウンリンクスロットまで、第１の帯域幅部分に関連するパラメータを使用することを含む。
【００９４】
上記段落で述べたような例示的な実施形態によれば、パラメータは、アップリンク許可またはダウンリンク割当てのうちの少なくとも一方を含む。
【００９５】
上記段落で述べたような例示的な実施形態によれば、１つまたは複数のダウンリンクスロットは、周波数同調、帯域幅部分切替え、もしくは帯域幅切替えのうちの少なくとも１つについての持続時間指示を含み、持続時間指示は、少なくとも１つのユーザ機器による周波数同調、帯域幅部分切替え、もしくは帯域幅切替えのうちの少なくとも１つについての開始時間と終了時間との間のギャップを含み、周波数同調、帯域幅部分切替え、もしくは帯域幅切替えのうちの少なくとも１つに対する帯域幅パラメータが使用されるとき、１つまたは複数のダウンリンクスロットは、チャネル占有時間のアップリンク部分の開始時間、もしくは開始時間の情報、もしくは開始時間に関する指示をさらに含む。
【００９６】
上記段落で述べたような例示的な実施形態によれば、開始時間と終了時間との間のギャップを含む持続時間指示は、マイクロ秒、ＯＦＤＭシンボル、ミニスロット、スロットのうちの少なくとも１つを単位とする時間の長さに基づく。
【００９７】
上記段落で述べたような例示的な実施形態によれば、アップリンク許可を受信し、受信したアップリンク許可がスケジュールする物理アップリンク共有チャネルの伝送前に、所定の数もしくは指示された数のスロットもしくはシンボル内で周波数同調、帯域幅部分切替え、もしくは帯域幅切替えのうちの少なくとも１つを実行すべきであると決定するステップ、または、物理ダウンリンク共有チャネルデータ伝送を受信し、物理ダウンリンク共有チャネルに対するハイブリッド自動再送要求の確認応答を搬送する物理アップリンク制御チャネル伝送の伝送前に、所定の数もしくは指示された数のシンボルもしくはスロット内で、周波数同調、帯域幅部分切替え、もしくは帯域幅切替えのうちの少なくとも１つを実行すべきであると決定するステップがある。
【００９８】
上記段落で述べたような例示的な実施形態によれば、１つまたは複数のダウンリンクスロットは、周波数同調、帯域幅部分切替え、または帯域幅切替えのうちの少なくとも１つをトリガするダウンリンク割当てに関連する物理ダウンリンク共有チャネルの受信の前または後のうちの少なくとも一方において、少なくとも１つのユーザ機器が、周波数同調、帯域幅部分切替え、または帯域幅切替えのうちの少なくとも１つを実行すべきであるという指示を含む。
【００９９】
上記段落で述べたような例示的な実施形態によれば、１つまたは複数のダウンリンクスロットは、少なくとも１つの参照信号を含み、少なくとも１つの参照信号は、少なくとも１つの参照信号の周波数における帯域幅または位置のうちの少なくとも一方に基づいて、周波数同調、帯域幅部分切替え、または帯域幅切替えのうちの少なくとも１つを実行することをトリガするために、ユーザ機器によって使用される。
【０１００】
上記段落で述べたような例示的な実施形態によれば、１つまたは複数のダウンリンクスロットのダウンリンク部分の最後のスロットは、少なくとも１つの追加の参照信号を含む。
【０１０１】
上記段落で述べたような例示的な実施形態によれば、少なくとも１つの参照信号は、非周期的チャネル状態情報参照信号、追加の一次同期信号、または追加の二次同期信号のうちの少なくとも１つを含み、少なくとも１つの追加の参照信号は、非周期的チャネル状態情報参照信号、追加の一次同期信号、または追加の二次同期信号のうちの少なくとも１つを含む。
【０１０２】
上記段落で述べたような例示的な実施形態によれば、周波数同調、帯域幅部分切替え、または帯域幅切替えのうちの少なくとも１つを実行するように指示される時間は、ユーザ機器でのスケジュールされた物理ダウンリンク共有チャネルの受信の前または後である。
【０１０３】
非一時的なコンピュータ可読媒体（図５のようなＭＥＭ２３Ｂおよび／またはＭＥＭ２１Ｂ）は、プログラムコード（図５のようなＰＲＯＧ２３Ｃおよび／またはＰＲＯＧ２１Ｃ）を記憶し、プログラムコードは、少なくとも１つのプロセッサ（図５のようなＤＰ２３Ａ、リソースモジュール２３Ｇ、ＤＰ２１Ａ、および／またはリソースモジュール２１Ｇ）によって実行されて、少なくとも上記段落で述べたような動作を実行する。
【０１０４】
上述のような本発明の例示的な実施形態によれば、ネットワークノード［図５のようなネットワークノード２２］から、ネットワークノード［図５のようなネットワークノード２２］から、１つまたは複数のダウンリンクスロットを受信するための手段［図５のようなアンテナ２３Ｆおよび／または２１Ｆ］を備える装置があり、１つまたは複数のダウンリンクスロットは、アップリンク許可またはダウンリンク割当てのうちの少なくとも一方を含み、１つまたは複数のダウンリンクスロットは、少なくとも１つのユーザ機器によって周波数同調、帯域幅部分切替え、または帯域幅切替えのうちの少なくとも１つを実行すべき時間に関する指示を提供し［図５のようなＤＰ２３Ａ、リソースモジュール２３Ｇ、ＤＰ２１Ａ、および／またはリソースモジュール２１Ｇ］、また図６Ｂのステップ６６０に示すように、１つまたは複数のダウンリンクスロットに基づいて、周波数同調、帯域幅部分切替え、または帯域幅切替えのうちの少なくとも１つを実行するための手段［図５のようなＤＰ２３Ａ、リソースモジュール２３Ｇ、ＤＰ２１Ａ、および／またはリソースモジュール２１Ｇ］と、周波数同調、帯域幅部分切替え、または帯域幅切替えのうちの少なくとも１つに基づいて［図５のようなＤＰ２３Ａ、リソースモジュール２３Ｇ、ＤＰ２１Ａ、および／またはリソースモジュール２１Ｇ］無線周波数チェーンを介して少なくとも１つのアップリンクチャネルまたは信号を伝送するための手段［図５のようなアンテナ２３Ｆおよび／または２１Ｆ］とがある。
【０１０５】
上記段落による本発明の例示的な態様において、少なくとも受信および実行するための手段は、少なくとも１つのプロセッサ［図５のようなＤＰ２３Ａ、リソースモジュール２３Ｇ、ＤＰ２１Ａ、および／またはリソースモジュール２１Ｇ］によって実行可能なコンピュータプログラム［図５のようなＰＲＯＧ２３Ｃおよび／またはＰＲＯＧ２１Ｃ］でエンコードされた非一時的なコンピュータ可読媒体［図５のようなＭＥＭ２３Ｂおよび／またはＭＥＭ２１Ｂ］を備える。
【０１０６】
一般に、様々な実施形態が、ハードウェアまたは専用回路、ソフトウェア、論理、またはそれらの任意の組合せで実装されてもよい。例えば、ある態様が、ハードウェアに実装され、他の態様が、コントローラ、マイクロプロセッサ、もしくは他のコンピューティングデバイスによって実行され得るファームウェアまたはソフトウェアに実装されてよいが、本発明はこれらに限定されない。本発明の様々な態様が、ブロック図、流れ図として、または何らかの他の図的表現を使用して図示および説明され得るが、本明細書に記載のこれらのブロック、装置、システム、技法、または方法は、非限定的な例として、ハードウェア、ソフトウェア、ファームウェア、専用回路もしくは論理、汎用ハードウェアもしくはコントローラ、もしくは他のコンピューティングデバイス、またはそれらの何らかの組合せにおいて実装され得ることはよく理解されている。
【０１０７】
本発明の実施形態は、集積回路モジュールなどの様々な構成要素において実施されてもよい。集積回路の設計は、全般的に高度に自動化されたプロセスである。論理レベルの設計を、半導体基板上にエッチングして形成する準備ができた半導体回路設計に変換するための、複雑で強力なソフトウェアツールが利用可能である。
【０１０８】
本明細書において、「例示的な」という単語は、「例、実例、または図示の役割を果たすこと」を示すために使用されている。本明細書において「例示的」と記載された実施形態は、必ずしも他の実施形態よりも好ましいまたは有利であると解釈されるべきではない。この発明を実施するための形態に記載されている実施形態はすべて、当業者が本発明を作成または使用することを可能にし、かつ特許請求の範囲によって定義される本発明の範囲を限定しないように提供された例示的な実施形態である。
【０１０９】
前述の説明では、例示的かつ非限定的な例として、本発明を実施するために本発明者が現在企図している最良の方法および装置の完全かつ有益な説明を提供した。しかしながら、前述の説明を、添付図面および添付の特許請求の範囲と併せて考慮すれば、様々な修正形態および適応が当業者には明らかとなろう。しかしながら、本発明の教示のそのような類似の修正形態はすべて、依然として本発明の範囲内にある。
【０１１０】
「接続された」、「結合された」という用語またはその任意の変形は、直接的であれ間接的であれ、２つ以上の要素間の任意の接続または結合を意味し、共に「接続された」または「結合された」２つの要素間の１つまたは複数の中間要素の存在を包含し得ることに留意されたい。要素間の結合または接続は、物理的、論理的、またはそれらの組合せとすることができる。本明細書で使用されるとき、２つの要素は、いくつかの非限定的かつ非網羅的な例として、１つまたは複数のワイヤ、ケーブル、および／または印刷された電気接続の使用によって、また同様に、無線周波数領域、マイクロ波領域、および光学（可視と不可視の両方）領域に波長を有する電磁エネルギーなどの電磁エネルギーの使用によって、共に「接続されている」または「結合されている」と見なされ得る。
【０１１１】
さらに、本発明の例示的な実施形態の特徴のいくつかを使用して、他の特徴を対応して使用することなく利益を得ることができる。したがって、前述の説明は、本発明の原理を例示するものにすぎず、それを限定するものではないと見なすべきである。
【図１】
2021520737.tif 000003
【図２】
2021520737.tif 000004
【図３】
2021520737.tif 000005
【図４Ａ】
2021520737.tif 000006
【図４Ｂ】
2021520737.tif 000007
【図４Ｃ】
2021520737.tif 000008
【図５】
2021520737.tif 000009
【図６Ａ】
2021520737.tif 000010
【図６Ｂ】
2021520737.tif 000011
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
ユーザ機器によって、ネットワークノードから１つまたは複数のダウンリンクスロットを受信するステップであって、前記１つまたは複数のダウンリンクスロットが、アップリンク許可またはダウンリンク割当てのうちの少なくとも一方を含み、前記１つまたは複数のダウンリンクスロットが、前記ユーザ機器によって周波数同調、帯域幅部分切替え、または帯域幅切替えのうちの少なくとも１つを実行すべき時間に関する指示を提供する、ステップと、
前記ユーザ機器によって、前記１つまたは複数のダウンリンクスロットに基づいて、周波数同調、帯域幅部分切替え、または帯域幅切替えのうちの前記少なくとも１つを実行するステップと、
前記ユーザ機器によって、周波数同調、帯域幅部分切替え、または帯域幅切替えのうちの前記少なくとも１つに基づいて無線周波数チェーンを介して少なくとも１つのアップリンクチャネルまたは信号を伝送するステップと
を含む方法。
【請求項２】
前記１つまたは複数のダウンリンクスロットが、伝送バーストの一部であり、前記伝送バーストが、１つまたは複数の空のシンボルまたはスロットと、１つまたは複数のアップリンクスロットを有するアップリンク部分とを含む、請求項１に記載の方法。
【請求項３】
少なくとも１つのメモリとコンピュータプログラムコードが、少なくとも１つのプロセッサを用いて、装置に、周波数同調、帯域幅部分切替え、または帯域幅切替えのうちの前記少なくとも１つに基づいて前記無線周波数チェーンを介して前記少なくとも１つのアップリンクチャネルまたは信号を伝送するステップに先立って、タイプ２のチャネルアクセス手順を実行させるよう構成される、請求項１又は２に記載の方法。
【請求項４】
前記ユーザ機器が、第１の周波数から第２の周波数への切替え、第１の帯域幅部分から第２の帯域幅部分への切替え、または第１の帯域幅から第２の帯域幅への切替えのうちの少なくとも１つの後、前記１つまたは複数のダウンリンクスロットの最後のダウンリンクスロットまで、前記ネットワークノードからダウンリンクチャネルまたは信号を受信し続ける、請求項１または２に記載の方法。
【請求項５】
前記第１の帯域幅部分から前記第２の帯域幅部分への前記切替えが、前記１つまたは複数のダウンリンクスロットの前記最後のダウンリンクスロットまで、前記第１の帯域幅部分に関連するパラメータを使用することを含む、請求項４に記載の方法。
【請求項６】
前記パラメータが、アップリンク許可またはダウンリンク割当てのうちの少なくとも一方を含む、請求項５に記載の方法。
【請求項７】
前記１つまたは複数のダウンリンクスロットが、周波数同調、帯域幅部分切替え、または帯域幅切替えのうちの前記少なくとも１つについての持続時間指示を含み、前記持続時間指示が、前記ユーザ機器における周波数同調、帯域幅部分切替え、または帯域幅切替えのうちの前記少なくとも１つについての開始時間と終了時間との間のギャップを含み、周波数同調、帯域幅部分切替え、または帯域幅切替えのうちの前記少なくとも１つに対する帯域幅パラメータが使用されるとき、前記１つまたは複数のダウンリンクスロットが、チャネル占有時間のアップリンク部分の開始時間をさらに含む、請求項１に記載の方法。
【請求項８】
前記開始時間と前記終了時間との間の前記ギャップを含む前記持続時間指示が、マイクロ秒、ＯＦＤＭシンボル、ミニスロット、又はスロットのうちの少なくとも１つを単位とする時間の長さに基づく、請求項７に記載の方法。
【請求項９】
周波数同調、帯域幅部分切替え、または帯域幅切替えのうちの前記少なくとも１つが、
アップリンク許可を受信し、前記受信したアップリンク許可がスケジュールする物理アップリンク共有チャネルの伝送前に、所定の数もしくは指示された数のスロットもしくはシンボル内で周波数同調、帯域幅部分切替え、もしくは帯域幅切替えのうちの前記少なくとも１つを実行すべきであると決定すること、または
物理ダウンリンク共有チャネルデータ伝送を受信し、前記物理ダウンリンク共有チャネルに対するハイブリッド自動再送要求の確認応答を搬送する物理アップリンク制御チャネル伝送の伝送前に、所定の数もしくは指示された数のシンボルもしくはスロット内で、周波数同調、帯域幅部分切替え、もしくは帯域幅切替えのうちの前記少なくとも１つを実行すべきであると決定すること
のうちの少なくとも１つに基づく、請求項１に記載の方法。
【請求項１０】
前記１つまたは複数のダウンリンクスロットが、周波数同調、帯域幅部分切替え、または帯域幅切替えのうちの前記少なくとも１つをトリガする前記ダウンリンク割当てに関連する物理ダウンリンク共有チャネルの受信の前または後のうちの少なくとも一方において、少なくとも１つのユーザ機器が、周波数同調、帯域幅部分切替え、または帯域幅切替えのうちの前記少なくとも１つを実行すべきであるという指示を含む、請求項１または２に記載の方法。
【請求項１１】
前記１つまたは複数のダウンリンクスロットが、少なくとも１つの参照信号を含み、前記少なくとも１つの参照信号が、前記少なくとも１つの参照信号の周波数における帯域幅または位置のうちの少なくとも一方に基づいて、周波数同調、帯域幅部分切替え、または帯域幅切替えのうちの前記少なくとも１つを実行することをトリガするために、前記ユーザ機器によって使用される、請求項１に記載の方法。
【請求項１２】
前記少なくとも１つの参照信号が、非周期的チャネル状態情報参照信号、追加の一次同期信号、または追加の二次同期信号のうちの少なくとも１つを含み、前記少なくとも１つの追加の参照信号が、非周期的チャネル状態情報参照信号、追加の一次同期信号、または追加の二次同期信号のうちの少なくとも１つを含む、請求項１または２に記載の方法。
【請求項１３】
前記１つまたは複数のダウンリンクスロットのダウンリンク部分の最後のスロットが、少なくとも１つの追加の参照信号を含む、請求項１に記載の方法。
【請求項１４】
周波数同調、帯域幅部分切替え、または帯域幅切替えのうちの前記少なくとも１つを実行するための時間の指示が、前記ユーザ機器でのスケジュールされた物理ダウンリンク共有チャネルの受信の前または後である、請求項１または２に記載の方法。
【請求項１５】
少なくとも１つのプロセッサと、
コンピュータプログラムコードを含む少なくとも１つのメモリとを備える装置であって、前記少なくとも１つのメモリおよび前記コンピュータプログラムコードが、前記少なくとも１つのプロセッサによって、前記装置に、少なくとも、
ネットワークノードから１つまたは複数のダウンリンクスロットを受信することであって、前記１つまたは複数のダウンリンクスロットが、アップリンク許可またはダウンリンク割当てのうちの少なくとも一方を含み、前記１つまたは複数のダウンリンクスロットが、周波数同調、帯域幅部分切替え、または帯域幅切替えのうちの少なくとも１つを実行すべき時間に関する指示を提供する、受信することと、
前記１つまたは複数のダウンリンクスロットに基づいて、周波数同調、帯域幅部分切替え、または帯域幅切替えのうちの前記少なくとも１つを実行することと、
周波数同調、帯域幅部分切替え、または帯域幅切替えのうちの前記少なくとも１つに基づいて無線周波数チェーンを介して少なくとも１つのアップリンクチャネルまたは信号を伝送することと、を行わせるように構成される、装置。
【請求項１６】
前記１つまたは複数のダウンリンクスロットが、伝送バーストの一部であり、前記伝送バーストが、１つまたは複数の空のシンボルもしくはスロット、または、１つもしくは複数のアップリンクスロットを有するアップリンク部分を含む、請求項１５に記載の装置。
【請求項１７】
少なくとも１つのメモリと前記コンピュータプログラムコードが、前記少なくとも１つのプロセッサを用いて、前記装置に、周波数同調、帯域幅部分切替え、または帯域幅切替えのうちの前記少なくとも１つに基づいて前記無線周波数チェーンを介して前記少なくとも１つのアップリンクチャネルまたは信号を伝送するステップに先立って、タイプ２のチャネルアクセス手順を実行させるよう構成される、請求項１５または１６に記載の装置。
【請求項１８】
前記少なくとも１つのメモリおよび前記コンピュータプログラムコードが、前記少なくとも１つのプロセッサによって、前記装置に、第１の周波数から第２の周波数への切替え、第１の帯域幅部分から第２の帯域幅部分への切替え、または第１の帯域幅から第２の帯域幅への切替えのうちの少なくとも１つの後、前記１つまたは複数のダウンリンクスロットの最後のダウンリンクスロットまで、前記ネットワークノードからダウンリンクチャネルまたは信号を受信することを行わせるように構成される、請求項１５または１６に記載の装置。
【請求項１９】
前記第１の帯域幅部分から前記第２の帯域幅部分への前記切替えが、前記１つまたは複数のダウンリンクスロットの前記最後のダウンリンクスロットまで、前記第１の帯域幅部分に関連するパラメータを使用することを含む、請求項１８に記載の装置。
【請求項２０】
前記パラメータが、アップリンク許可またはダウンリンク割当てのうちの少なくとも一方を含む、請求項１９に記載の装置。
【請求項２１】
前記１つまたは複数のダウンリンクスロットが、周波数同調、帯域幅部分切替え、または帯域幅切替えのうちの前記少なくとも１つについての持続時間指示を含み、前記持続時間指示が、前記装置における周波数同調、帯域幅部分切替え、または帯域幅切替えのうちの前記少なくとも１つについての開始時間と終了時間との間のギャップを含み、周波数同調、帯域幅部分切替え、または帯域幅切替えのうちの前記少なくとも１つに対する帯域幅パラメータが使用されるとき、前記１つまたは複数のダウンリンクスロットが、チャネル占有時間のアップリンク部分の開始時間をさらに含む、請求項１５または１６に記載の装置。
【請求項２２】
前記開始時間と前記終了時間との間の前記ギャップを含む前記持続時間指示が、マイクロ秒、ＯＦＤＭシンボル、又はミニスロットのうちの少なくとも１つを単位とする時間の長さに基づく、請求項２１に記載の装置。
【請求項２３】
周波数同調、帯域幅部分切替え、または帯域幅切替えのうちの前記少なくとも１つが、
アップリンク許可を受信し、前記受信したアップリンク許可がスケジュールする物理アップリンク共有チャネルの伝送前に、所定の数もしくは指示された数のスロットもしくはシンボル内で周波数同調、帯域幅部分切替え、もしくは帯域幅切替えのうちの少なくとも１つを実行すべきであると決定すること、または
物理ダウンリンク共有チャネルデータ伝送を受信し、前記物理ダウンリンク共有チャネルに対するハイブリッド自動再送要求の確認応答を搬送する物理アップリンク制御チャネル伝送の伝送前に、所定の数もしくは指示された数のシンボルもしくはスロット内で、周波数同調、帯域幅部分切替え、もしくは帯域幅切替えのうちの前記少なくとも１つを実行すべきであると決定すること
のうちの少なくとも１つに基づく、請求項１５、２１、２２のいずれか１項に記載の装置。
【請求項２４】
前記１つまたは複数のダウンリンクスロットが、周波数同調、帯域幅部分切替え、または帯域幅切替えのうちの少なくとも１つをトリガする前記ダウンリンク割当てに関連する物理ダウンリンク共有チャネルの受信の前または後のうちの少なくとも一方において、少なくとも１つのユーザ機器が、周波数同調、帯域幅部分切替え、または帯域幅切替えのうちの前記少なくとも１つを実行すべきであるという指示を含む、請求項１５または１６に記載の装置。
【請求項２５】
前記１つまたは複数のダウンリンクスロットが、少なくとも１つの参照信号を含み、前記少なくとも１つの参照信号が、前記少なくとも１つの参照信号の周波数における帯域幅または位置のうちの少なくとも一方に基づいて、周波数同調、帯域幅部分切替え、または帯域幅切替えのうちの前記少なくとも１つを実行することをトリガするために、装置において使用される、請求項１５または１６に記載の装置。
【請求項２６】
前記少なくとも１つの参照信号が、非周期的チャネル状態情報参照信号、追加の一次同期信号、または追加の二次同期信号のうちの少なくとも１つを含み、前記少なくとも１つの追加の参照信号が、周期的チャネル状態情報参照信号、追加の一次同期信号、または追加の二次同期信号のうちの少なくとも１つを含む、請求項２５に記載の装置。
【請求項２７】
前記１つまたは複数のダウンリンクスロットのダウンリンク部分の最後のスロットが、少なくとも１つの追加の参照信号を含む、請求項１５に記載の装置。
【請求項２８】
周波数同調、帯域幅部分切替え、または帯域幅切替えのうちの前記少なくとも１つを実行するための時間の指示が、スケジュールされた物理ダウンリンク共有チャネルの受信の前または後である、請求項１５または１６に記載の装置。
【請求項２９】
ネットワークノードによって、周波数同調、帯域幅部分切替え、または帯域幅切替えのうちの少なくとも１つを実行すべきであると決定するステップと、
前記ネットワークノードによって、前記決定に基づいて少なくとも１つのユーザ機器に１つまたは複数のダウンリンクスロットを送信するステップであって、前記１つまたは複数のダウンリンクスロットが、周波数同調、帯域幅部分切替え、または帯域幅切替えのうちの前記少なくとも１つを実行すべき時間に関する指示を提供する、ステップと
を含む方法。
【請求項３０】
前記１つまたは複数のダウンリンクスロットが、伝送バーストの一部であり、前記伝送バーストが、１つまたは複数の空のシンボルまたはスロットと、１つまたは複数のアップリンクスロットを有するアップリンク部分とを含む、請求項２９に記載の方法。
【請求項３１】
前記１つまたは複数のダウンリンクスロットが、周波数同調、帯域幅部分切替え、または帯域幅切替えのうちの前記少なくとも１つについての持続時間指示を含み、前記持続時間指示が、前記少なくとも１つのユーザ機器における周波数同調、帯域幅部分切替え、または帯域幅切替えのうちの前記少なくとも１つについての開始時間と終了時間との間のギャップを含み、周波数同調、帯域幅部分切替え、または帯域幅切替えのうちの前記少なくとも１つに対する帯域幅パラメータが使用されるとき、前記１つまたは複数のダウンリンクスロットが、チャネル占有時間のアップリンク部分の開始時間をさらに含む、請求項２９に記載の方法。
【請求項３２】
前記開始時間と前記終了時間との間の前記ギャップを含む前記持続時間指示が、前記１つまたは複数のダウンリンクスロットの、マイクロ秒、ＯＦＤＭシンボル、ミニスロット、またはスロットのうちの少なくとも１つを単位とする時間の長さに基づく、請求項３１に記載の方法。
【請求項３３】
周波数同調、帯域幅部分切替え、または帯域幅切替えのうちの前記少なくとも１つを実行するための時間の指示が、前記少なくとも１つのユーザ機器でのスケジュールされた物理ダウンリンク共有チャネルの受信の前または後である、請求項２９〜３１のいずれか１項に記載の方法。
【請求項３４】
前記ダウンリンク制御情報が、周波数同調、帯域幅部分切替え、または帯域幅切替えのうちの前記少なくとも１つを実行すべき前記時間を指示するための少なくとも１つのビットフィールドを含む、請求項２９〜３１のいずれか１項に記載の方法。
【請求項３５】
少なくとも１つのプロセッサと、
コンピュータプログラムコードを含む少なくとも１つのメモリとを備える装置であって、前記少なくとも１つのメモリおよび前記コンピュータプログラムコードが、前記少なくとも１つのプロセッサによって、前記装置に、少なくとも、
周波数同調、帯域幅部分切替え、または帯域幅切替えのうちの少なくとも１つを実行すべきであると決定することと、
前記決定に基づいて少なくとも１つのユーザ機器に１つまたは複数のダウンリンクスロットを送信することと、を行わせるように構成され、前記１つまたは複数のダウンリンクスロットが、前記少なくとも１つのユーザ機器において周波数同調、帯域幅部分切替え、または帯域幅切替えのうちの前記少なくとも１つを実行すべき時間に関する指示を提供する、装置。
【請求項３６】
前記１つまたは複数のダウンリンクスロットが、伝送バーストの一部であり、前記伝送バーストが、１つまたは複数の空のシンボルまたはスロットと、１つまたは複数のアップリンクスロットを有するアップリンク部分とをさらに含む、請求項３５に記載の装置。
【請求項３７】
前記１つまたは複数のダウンリンクスロットが、周波数同調、帯域幅部分切替え、または帯域幅切替えのうちの前記少なくとも１つについての持続時間指示を含み、前記持続時間指示が、前記少なくとも１つのユーザ機器における周波数同調、帯域幅部分切替え、または帯域幅切替えのうちの前記少なくとも１つについての開始時間と終了時間との間のギャップを含み、周波数同調、帯域幅部分切替え、または帯域幅切替えのうちの前記少なくとも１つに対する帯域幅パラメータが使用されるとき、前記１つまたは複数のダウンリンクスロットが、チャネル占有時間のアップリンク部分の開始時間をさらに含む、請求項３５に記載の装置。
【請求項３８】
前記開始時間と前記終了時間との間の前記ギャップを含む前記持続時間指示が、前記１つまたは複数のダウンリンクスロットの、マイクロ秒、ＯＦＤＭシンボル、ミニスロット、またはスロットのうちの少なくとも１つを単位とする時間の長さに基づく、請求項３７に記載の装置。
【請求項３９】
周波数同調、帯域幅部分切替え、または帯域幅切替えのうちの前記少なくとも１つを実行するための時間の指示が、前記少なくとも１つのユーザ機器でのスケジュールされた物理ダウンリンク共有チャネルの受信の前または後である、請求項３５〜３７のいずれか１項に記載の装置。
【請求項４０】
前記ダウンリンク制御情報が、周波数同調、帯域幅部分切替え、または帯域幅切替えのうちの前記少なくとも１つを実行すべき前記時間を指示するための少なくとも１つのビットフィールドを含む、請求項３５〜３７のいずれか１項に記載の装置。
【請求項４１】
プログラムコードを含むコンピュータプログラムを具現化する非一時的なメモリであって、前記プログラムコードが、請求項１〜２または２９〜３２のいずれかに記載の前記方法を実行するために少なくとも１つのプロセッサによって実行される、非一時的なメモリ。
【国際調査報告】
2021520737.tif 000012
2021520737.tif 000013
2021520737.tif 000014